(57)【要約】【課題】クライアントが既に音楽ファイルを所有している場合に音楽データの取得費用が重複して発生することのない同期歌詞配信システムを提供する。【解決手段】暗号化同期歌詞データを含む同期歌詞ファイルを配信する同期歌詞ファイル配信装置は、前記同期歌詞ファイルを記憶する同期歌詞ファイルＤＢと、クライアントからの要求に対応した応答処理を行うウェブサービスサーバとを含み、前記ウェブサービスサーバは、前記クライアントからの前記同期歌詞ファイルの配信要求に対して前記同期歌詞ファイルを当該クライアントの音楽ファイル管理端末に対して配信し、前記クライアントからの音楽再生に同期した前記同期歌詞データの表示許可要求に対して同期歌詞配信会員ＤＢを参照して当該クライアントが現時点で有効な同期歌詞配信会員であると確認された場合に、当該クライアントの認証情報を前記音楽ファイル管理端末に対して送信する。【選択図】図１
2008112158.tif 000002
【特許請求の範囲】
【請求項１】
暗号化された同期歌詞データ（以下、暗号化同期歌詞データという。）を含む同期歌詞ファイルを配信するための同期歌詞ファイル配信装置であって、
前記同期歌詞ファイルを記憶する同期歌詞ファイルＤＢと、
前記同期歌詞ファイルの配信を希望するクライアントからの要求に対応した応答処理を行うウェブサービスサーバとを含み、
前記ウェブサービスサーバは、
前記クライアントからの前記同期歌詞ファイルの配信要求に対し、前記同期歌詞ファイルＤＢから前記同期歌詞ファイルを取得して当該クライアントの音楽ファイル管理端末に対して配信すると共に、
前記クライアントからの音楽再生に同期した前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認された場合に、前記暗号化同期歌詞データを復号化するための当該クライアントの認証情報を前記音楽ファイル管理端末に対して送信することを特徴とする同期歌詞ファイル配信装置。
【請求項２】
請求項１に記載の同期歌詞ファイル配信装置において、
前記同期歌詞配信会員ＤＢをさらに含むことを特徴とする同期歌詞ファイル配信装置。
【請求項３】
請求項１又は２に記載の同期歌詞ファイル配信装置において、
前記ウェブサービスサーバは、
前記同期歌詞データの表示許可要求にかかわらず、前記クライアントからの前記同期歌詞ファイルの配信要求に対し、前記同期歌詞配信会員ＤＢを参照して当該クライアントが現時点で有効な同期歌詞配信会員であると確認された場合に、前記同期歌詞ファイルＤＢから前記同期歌詞ファイルを取得して当該クライアントの前記音楽ファイル管理端末に対して配信することを特徴とする同期歌詞ファイル配信装置。
【請求項４】
請求項１乃至３のいずれか記載の同期歌詞ファイル配信装置において、
前記音楽ファイルを記憶する音楽ファイルＤＢと、
前記音楽ファイルＤＢが記憶する前記音楽ファイルと前記同期歌詞ファイルＤＢが記憶する前記同期歌詞ファイルとから前記暗号化同期歌詞データを含む同期歌詞付き音楽ファイルを作成する同期歌詞付き音楽ファイル作成部とをさらに含み、
前記ウェブサービスサーバは、
前記クライアントからの前記同期歌詞付き音楽ファイルの配信要求に対し、前記同期歌詞付き音楽ファイル作成部によって作成された前記同期歌詞付き音楽ファイルを取得して当該クライアントの前記音楽ファイル管理端末に対して配信する機能をさらに有することを特徴とする同期歌詞ファイル配信装置。
【請求項５】
請求項１乃至４のいずれか記載の同期歌詞ファイル配信装置において、
ネットワークを介して前記音楽ファイルを取得する音楽ファイル取得サーバと、
前記音楽ファイル取得サーバが取得した前記音楽ファイルと前記同期歌詞ファイルＤＢが記憶する前記同期歌詞ファイルとから前記同期歌詞付き音楽ファイルを作成する同期歌詞付き音楽ファイル作成部とをさらに含み、
前記ウェブサービスサーバは、さらに、
クライアントからの前記同期歌詞付き音楽ファイルの配信要求に対し、前記同期歌詞付き音楽ファイル作成部によって作成された前記同期歌詞付き音楽ファイルを取得して当該クライアントの前記音楽ファイル管理端末に対して配信する機能をさらに有することを特徴とする同期歌詞ファイル配信装置。
【請求項６】
請求項１乃至５のいずれか記載の同期歌詞ファイル配信装置において、
音楽データ及び暗号化同期歌詞データを含む同期歌詞付き音楽ファイルを記憶する同期歌詞付き音楽ファイルＤＢをさらに含み、
前記ウェブサービスサーバは、
クライアントからの前記同期歌詞付き音楽ファイルの配信要求に対し、前記同期歌詞付き音楽ファイルＤＢから前記同期歌詞付き音楽ファイルを取得して当該クライアントの前記音楽ファイル管理端末に対して配信する機能をさらに有することを特徴とする同期歌詞ファイル配信装置。
【請求項７】
暗号化された同期歌詞データ（以下、暗号化同期歌詞データという。）を含む同期歌詞ファイルを配信するための同期歌詞ファイル配信装置に対し、前記同期歌詞ファイルの配信要求を行うと共に、音楽再生に同期した前記同期歌詞データの表示許可要求を行う送受信部と、
前記同期歌詞データを同期化させる音楽データを含む音楽ファイルを記憶する音楽ファイル記憶部と、
前記同期歌詞ファイルの配信要求に対して前記同期歌詞ファイル配信装置から配信された前記同期歌詞ファイルの前記暗号化同期歌詞データと、前記同期歌詞データの表示許可要求に対する前記同期歌詞ファイル配信装置からの当該クライアントの認証情報又は該認証情報に基づいて生成されたライセンスキーとを、音楽・同期歌詞再生端末に対して送信するインタフェース部とを含み、
前記認証情報は、
前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認されたことを条件に、前記同期歌詞ファイル配信装置から配信される情報であり、
前記音楽・同期歌詞再生端末が、
前記認証情報又はライセンスキーに基づいて前記暗号化同期歌詞データを復号化して前記音楽再生に同期した同期歌詞データの表示を行うことを特徴とする音楽ファイル管理端末。
【請求項８】
請求項７に記載の音楽ファイル管理端末において、
前記同期歌詞ファイル配信装置から配信される前記暗号化同期歌詞データを記憶する同期歌詞データ記憶部をさらに含み、
前記同期歌詞データ記憶部は、
前記認証情報により当該クライアントが有効な同期歌詞配信会員であることが確認されたか否かにかかわらず、前記暗号化同期歌詞データを記憶し続ける機能を有することを特徴とする音楽ファイル管理端末。
【請求項９】
請求項７又は８に記載の音楽ファイル管理端末において、
前記音楽ファイルに含まれる前記音楽データから音楽を再生する音楽再生部と、
前記認証情報により当該クライアントが有効な同期歌詞配信会員であることが確認されたことを条件に前記同期歌詞データに含まれる前記暗号化同期歌詞データから音楽再生に同期して歌詞を表示する同期歌詞表示部とをさらに有することを特徴とする音楽ファイル管理端末。
【請求項１０】
請求項９に記載の音楽ファイル管理端末において、
前記同期歌詞表示部は、
前記認証情報により当該クライアントが有効な同期歌詞配信会員であることが確認されたか否かにかかわらず、前記同期歌詞データに含まれる前記暗号化同期歌詞データから歌詞の一部を表示することができるように構成されていることを特徴とする音楽ファイル端末。
【請求項１１】
暗号化された同期歌詞データ（以下、暗号化同期歌詞データという。）に基づいて音楽再生に同期して歌詞を表示するための音楽・同期歌詞再生端末であって、
前記暗号化同期歌詞データを含む同期歌詞ファイルを配信するための同期歌詞ファイル配信装置によって配信された前記同期歌詞ファイルを記憶する同期歌詞ファイル記憶部と、
音楽データを含む音楽ファイルを記憶する音楽ファイル記憶部と、
前記音楽ファイルに含まれる前記音楽データから音楽を再生する音楽再生部と、
前記同期歌詞ファイル配信装置からの認証情報に基づいて該クライアントが有効な同期歌詞配信会員であることが確認されたことを条件に、前記同期歌詞ファイルに含まれる前記暗号化同期歌詞データを復号化して得られた同期歌詞データを音楽再生に同期して歌詞を表示する同期歌詞表示部とを含み、
前記認証情報は、
前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認されたことを条件に、前記同期歌詞ファイル配信装置から配信される情報であることを特徴とする音楽・同期歌詞再生端末。
【請求項１２】
請求項１１に記載の音楽・同期歌詞再生端末において、
前記同期歌詞ファイル記憶部は、
前記認証情報により当該クライアントが有効な同期歌詞配信会員であることが確認されたか否かにかかわらず、前記同期歌詞ファイルを記憶し続ける機能を有することを特徴とする音楽・同期歌詞再生端末。
【請求項１３】
請求項１１又は１２に記載の音楽・同期歌詞再生端末において、
前記音楽再生部は、
前記認証情報により当該クライアントが有効な同期歌詞配信会員であることが確認されたか否かにかかわらず、前記音楽ファイルに含まれる前記音楽データから音楽を再生する機能をさらに有することを特徴とする音楽・同期歌詞再生端末。
【請求項１４】
請求項１乃至６のいずれかに記載の同期歌詞ファイル配信装置と、
音楽ファイル管理端末と、
音楽・同期歌詞再生端末とを含み、
前記音楽ファイル管理端末が、
前記同期歌詞ファイル配信装置に対し、前記同期歌詞ファイルの配信要求を行うと共に、音楽再生に同期した前記同期歌詞データの表示許可要求を行い、前記同期歌詞ファイルの配信要求に対して前記同期歌詞ファイル配信装置から配信された前記同期歌詞ファイルの前記暗号化同期歌詞データと、前記同期歌詞データの表示許可要求に対して前記同期歌詞ファイル配信装置からの当該クライアントの認証情報又は該認証情報に基づいて生成されたライセンスキーとを、前記音楽・同期歌詞再生端末に対して送信し、
前記音楽・同期歌詞再生端末は、
前記音楽ファイル管理端末からの認証情報又は前記ラインセンスキーに基づいて、前記暗号化同期歌詞データを復号化して前記音楽再生に同期した同期歌詞データの表示を行うことを特徴とする同期歌詞配信システム。
【請求項１５】
暗号化された同期歌詞データ（以下、暗号化同期歌詞データという。）を含む同期歌詞ファイルを配信する同期歌詞ファイル配信装置と、
前記同期歌詞ファイル配信装置に対して前記同期歌詞ファイルの配信要求を行う請求項７乃至１０のいずれかに記載の音楽ファイル管理端末と、
音楽・同期歌詞再生端末とを含み、
前記同期歌詞ファイル配信装置が、
前記クライアントからの前記同期歌詞ファイルの配信要求に対し、前記同期歌詞ファイルＤＢから前記同期歌詞ファイルを取得して当該クライアントの音楽ファイル管理端末に対して配信すると共に、
前記クライアントからの音楽再生に同期した前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認された場合に、前記暗号化同期歌詞データを復号化するための当該クライアントの認証情報を前記音楽ファイル管理端末に対して送信し、
前記音楽・同期歌詞再生端末は、
前記音楽ファイル管理端末からの認証情報又は前記認証情報に基づいて生成されたライセンスキーに基づいて、前記暗号化同期歌詞データを復号化して前記音楽再生に同期した同期歌詞データの表示を行うことを特徴とする同期歌詞配信システム。
【請求項１６】
暗号化された同期歌詞データ（以下、暗号化同期歌詞データという。）を含む同期歌詞ファイルを配信する同期歌詞ファイル配信装置と、
音楽ファイル管理端末と、
請求項１１乃至１３のいずれかに記載の音楽・同期歌詞再生端末とを含み、
前記同期歌詞ファイル配信装置は、
前記クライアントからの前記同期歌詞ファイルの配信要求に対し、前記同期歌詞ファイルＤＢから前記同期歌詞ファイルを取得して当該クライアントの音楽ファイル管理端末に対して配信すると共に、
前記クライアントからの音楽再生に同期した前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認された場合に、前記暗号化同期歌詞データを復号化するための当該クライアントの認証情報を前記音楽ファイル管理端末に対して送信し、
前記音楽ファイル管理端末は、
前記同期歌詞ファイル配信装置に対し、前記同期歌詞ファイルの配信要求を行うと共に、音楽再生に同期した前記同期歌詞データの表示許可要求を行い、前記同期歌詞ファイルの配信要求に対して前記同期歌詞ファイル配信装置から配信された前記同期歌詞ファイルの前記暗号化同期歌詞データと、前記同期歌詞データの表示許可要求に対して前記同期歌詞ファイル配信装置からの当該クライアントの認証情報又は該認証情報に基づいて生成されたライセンスキーとを、前記音楽・同期歌詞再生端末に対して送信することを特徴とする同期歌詞ファイル配信システム。
【請求項１７】
コンピュータを、暗号化された同期歌詞データ（以下、暗号化同期歌詞データという。）を含む同期歌詞ファイルを配信するための同期歌詞ファイル配信装置として機能させるための同期歌詞ファイル配信装置用プログラムであって、
前記同期歌詞ファイルを記憶する同期歌詞ファイルＤＢと、
前記同期歌詞データを同期させる音楽データを含む音楽ファイルを管理するための音楽ファイル管理端末に対して、前記同期歌詞ファイルの配信を希望するクライアントからの要求に対応した応答処理を行うウェブサービスサーバとして前記コンピュータを機能させ、
前記ウェブサービスサーバは、
前記クライアントからの前記同期歌詞ファイルの配信要求に対し、前記同期歌詞ファイルＤＢから前記同期歌詞ファイルを取得して当該クライアントの音楽ファイル管理端末に対して配信すると共に、
前記クライアントからの音楽再生に同期した前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認された場合に、前記暗号化同期歌詞データを復号化するための当該クライアントの認証情報を前記音楽ファイル管理端末に対して送信することを特徴とする同期歌詞ファイル配信装置用プログラム。
【請求項１８】
コンピュータを、音楽ファイル管理端末として機能させるための音楽ファイル管理端末用プログラムであって、
暗号化された同期歌詞データ（以下、暗号化同期歌詞データという。）を含む同期歌詞ファイルを配信するための同期歌詞ファイル配信装置に対し、前記同期歌詞ファイルの配信要求を行うと共に、音楽再生に同期した前記同期歌詞データの表示許可要求を行う送受信部と、
前記同期歌詞データを同期化させる音楽データを含む音楽ファイルを記憶する音楽ファイル記憶部と、
前記同期歌詞ファイルの配信要求に対して前記同期歌詞ファイル配信装置から配信された前記同期歌詞ファイルの前記暗号化同期歌詞データと、前記同期歌詞データの表示許可要求に対して前記同期歌詞ファイル配信装置からの当該クライアントの認証情報又は該認証情報に基づいて生成されたライセンスキーとを、前記認証情報又は前記ライセンスキーに基づいて前記暗号化同期歌詞データを復号化して前記音楽再生に同期した同期歌詞データの表示を行う音楽・同期歌詞再生端末に対して送信するインタフェース部として前記コンピュータを機能させ、
前記認証情報は、
前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認されたことを条件に、前記同期歌詞ファイル配信装置から配信される情報であることを特徴とする音楽ファイル管理端末用プログラム。
【請求項１９】
コンピュータを、暗号化された同期歌詞データ（以下、暗号化同期歌詞データという。）に基づいて音楽再生に同期して歌詞を表示するための音楽・同期歌詞再生端末として機能させるための音楽・同期歌詞再生端末用プログラムであって、
前記暗号化同期歌詞データを含む同期歌詞ファイルを配信するための同期歌詞ファイル配信装置によって配信された前記同期歌詞ファイルを記憶する同期歌詞ファイル記憶部と、
音楽データを含む音楽ファイルを記憶する音楽ファイル記憶部と、
前記音楽ファイルに含まれる前記音楽データから音楽を再生する音楽再生部と、
前記同期歌詞ファイル配信装置からの認証情報に基づいて該クライアントが有効な同期歌詞配信会員であることが確認されたことを条件に、前記同期歌詞ファイルに含まれる前記暗号化同期歌詞データから音楽再生に同期して歌詞を表示する同期歌詞表示部として前記コンピュータを機能させ、
前記認証情報は、
前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認されたことを条件に、前記同期歌詞ファイル配信装置から配信される情報であることを特徴とする音楽・同期歌詞再生端末用プログラム。
【発明の詳細な説明】
【技術分野】
【０００１】
本発明は、同期歌詞ファイル配信装置、音楽ファイル管理端末、音楽・同期歌詞再生端末、及び同期歌詞配信システムに関する。
【背景技術】
【０００２】
音楽データと、音楽再生に同期して歌詞を表示するための同期情報を含む歌詞データ（以下、同期歌詞データという。）とを含む同期歌詞付き音楽ファイルをクライアントに配信することで、音楽再生に同期してクライアント端末に歌詞を表示することを可能とする同期歌詞配信システムが知られている（例えば、特許文献１〜３参照。）。
【０００３】
図３１は、特許文献１に開示された従来の同期歌詞配信システム９００を説明するために示す図である。従来の同期歌詞配信システム９００は、図３１に示すように、同期歌詞付き音楽ファイルを配信するプロバイダが所有する同期歌詞付き音楽ファイル配信装置９１０と、同期歌詞付き音楽ファイルの配信を受けるクライアントが所有するクライアント端末９８０とを備える。
【０００４】
同期歌詞付き音楽ファイル配信装置９１０は、音楽データを含む音楽ファイルを記憶する音楽ファイルデータベース（以下、データベースのことをＤＢという。）９２０と、同期歌詞データを含む同期歌詞ファイルを記憶する同期歌詞ファイルＤＢ９３０と、音楽データと同期歌詞データとから同期歌詞付き音楽ファイルを作成する同期歌詞付き音楽ファイル作成部９４０と、同期歌詞付き音楽ファイルにＤＲＭ（デジタル著作権管理技術）を適用して暗号化された同期歌詞付き音楽ファイル９７０を作成するＤＲＭ部９５０と、暗号化された同期歌詞付き音楽ファイル９７０をインターネットを介してクライアント端末９８０に対して配信するウェブサービスサーバ９６０とを備える。
【０００５】
クライアント端末９８０には、予めプロバイダから取得しておいた復号化機能付きの同期歌詞付き音楽ファイル再生プログラムがインストールされている。従って、暗号化された同期歌詞付き音楽ファイル９７０を受信したクライアント端末９８０は、復号化機能付きの同期歌詞付き音楽ファイル再生プログラムを用いることにより、暗号化された同期歌詞付き音楽ファイル９７０を復号化し、その後、復号化された同期歌詞付き音楽ファイルから音楽を再生するとともに音楽再生に同期して表示画面上に歌詞を表示することが可能となる。
【０００６】
従来の同期歌詞配信システム９００によれば、クライアントにとってもプロバイダにとっても以下のように大きな利益が得られる。すなわち、クライアントにとっては、同期歌詞配信システム９００に参加することで、音楽データ及び同期歌詞データを含む同期歌詞付き音楽ファイルをプロバイダから入手することが可能となる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化された同期歌詞付き音楽ファイル９７０をクライアントに対して配信することで、爾後の適切な著作権管理が可能となり、所定条件下での確実な課金が可能となるという利益が得られる。
【０００７】
【特許文献１】国際公開第２００５／１１４４５７号パンフレット
【特許文献２】特開２００４−３１８１６２号公報
【特許文献３】大韓民国特許出願公開第２００６−２６２１０号明細書
【発明の開示】
【発明が解決しようとする課題】
【０００８】
しかしながら、従来の同期歌詞配信システム９００においては、クライアントが既に音楽ファイルを所有している場合であっても、音楽再生に同期して歌詞を表示するためには、プロバイダから同期歌詞付き音楽ファイルの配信を受けることが必要となる。その結果、同期歌詞付き音楽ファイルに含まれる音楽データについては既に所有している音楽ファイルに含まれる音楽データと重複して著作権管理を受けることとなってしまい、当該音楽データの取得費用が重複して発生することとなるという問題がある。
【０００９】
そこで、本発明は、このような問題を解決するためになされたもので、クライアントが既に音楽ファイルを所有している場合に音楽データの取得費用が重複して発生してしまうという事態が発生することのない同期歌詞配信システムを提供することを目的とする。
【課題を解決するための手段】
【００１０】
（１）本発明の同期歌詞ファイル配信装置は、暗号化された同期歌詞データ（以下、暗号化同期歌詞データという。）を含む同期歌詞ファイルを配信するための同期歌詞ファイル配信装置であって、前記同期歌詞ファイルを記憶する同期歌詞ファイルＤＢと、前記同期歌詞ファイルの配信を希望するクライアントからの要求に対応した応答処理を行うウェブサービスサーバとを含み、前記ウェブサービスサーバは、前記クライアントからの前記同期歌詞ファイルの配信要求に対し、前記同期歌詞ファイルＤＢから前記同期歌詞ファイルを取得して当該クライアントの音楽ファイル管理端末に対して配信すると共に、前記クライアントからの音楽再生に同期した前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認された場合に、前記暗号化同期歌詞データを復号化するための当該クライアントの認証情報を前記音楽ファイル管理端末に対して送信する同期歌詞ファイル配信装置に関係する。
【００１１】
上記（１）に記載の同期歌詞ファイル配信装置によれば、従来の同期歌詞配信システムの場合とは異なり、同期歌詞付き音楽ファイルではなく同期歌詞ファイルをクライアントに対して配信するため、当該クライアントには重複して音楽データが配信されることがなくなる。その結果、本発明の同期歌詞ファイル配信装置によれば、クライアントが既に音楽ファイルを所有している場合に音楽データの取得費用が重複して発生してしまうという事態が発生することがなくなる。
【００１２】
また、上記（１）に記載の同期歌詞ファイル配信装置によれば、従来の同期歌詞配信システムの場合と同様に、クライアントにとってもプロバイダにとっても以下のように大きな利益が得られる。すなわち、クライアントにとっては、本発明の同期歌詞ファイル配信装置に対して同期歌詞ファイルの配信を希望することで得られる同期歌詞ファイルから暗号化同期歌詞データを抽出することにより、自己の所有する音楽ファイルに対応した同期歌詞データを用意できるようになる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データを含む同期歌詞ファイルをクライアントに対して配信するとともに、クライアントが現時点で有効な同期歌詞配信会員である場合にのみ、有効期間が定められたライセンスキーを作成するための認証情報を当該クライアントに対して送信することで、爾後の適切な著作権管理が可能となり、所定条件下での確実な課金が可能となるという利益が得られる。
【００１３】
（２）上記（１）に記載の同期歌詞ファイル配信装置において、前記同期歌詞配信会員ＤＢをさらに含むことが好ましい。
【００１４】
上記（２）に記載の同期歌詞ファイル配信装置によれば、同期歌詞ファイルの配信を希望するクライアントが同期歌詞配信会員であるか否かを同期歌詞ファイル配信装置の外部にアクセスして検索する必要がなくなり、同期歌詞ファイルと同期歌詞配信会員とを同じ装置内で管理することで、適切な著作権管理をより確実に実現できるようになる。
【００１５】
（３）上記（１）又は（２）に記載の同期歌詞ファイル配信装置において、前記ウェブサービスサーバは、前記同期歌詞データの表示許可要求にかかわらず、前記クライアントからの前記同期歌詞ファイルの配信要求に対し、前記同期歌詞配信会員ＤＢを参照して当該クライアントが現時点で有効な同期歌詞配信会員であると確認された場合に、前記同期歌詞ファイルＤＢから前記同期歌詞ファイルを取得して当該クライアントの前記音楽ファイル管理端末に対して配信することが好ましい。
【００１６】
上記（３）に記載の同期歌詞ファイル配信装置によれば、クライアントが現時点で有効な同期歌詞配信会員である場合にのみ、当該クライアントに対して同期歌詞ファイルを送信することで、適切な著作権管理を行うことが可能となる。
【００１７】
（４）上記（１）〜（３）のいずれか記載の同期歌詞ファイル配信装置において、前記音楽ファイルを記憶する音楽ファイルＤＢと、前記音楽ファイルＤＢが記憶する前記音楽ファイルと前記同期歌詞ファイルＤＢが記憶する前記同期歌詞ファイルとから前記暗号化同期歌詞データを含む同期歌詞付き音楽ファイルを作成する同期歌詞付き音楽ファイル作成部とをさらに含み、前記ウェブサービスサーバは、前記クライアントからの前記同期歌詞付き音楽ファイルの配信要求に対し、前記同期歌詞付き音楽ファイル作成部によって作成された前記同期歌詞付き音楽ファイルを取得して当該クライアントの前記音楽ファイル管理端末に対して配信する機能をさらに有することが好ましい。
【００１８】
上記（４）記載の同期歌詞ファイル配信装置によれば、クライアントから同期歌詞付き音楽ファイルの配信を希望する旨の要求があった場合には、要求のあった同期歌詞付き音楽ファイルを当該クライアントの音楽ファイル管理端末に対して配信することが可能となる。
【００１９】
なお、クライアントからこのような要求がある場合としては、クライアントが当該音楽ファイルそのものを所有していない場合が考えられる。このような場合には、そもそもクライアントは当該音楽ファイルそのものを所有していないのであるから、音楽データの取得費用が重複して発生してしまうという事態が発生することはない。音楽ファイル管理端末は、自らが同期歌詞付き音楽ファイルを作成せずに、同期歌詞ファイル配信装置の同期歌詞付き音楽ファイル作成部が作成した同期歌詞付き音楽ファイルを受信して管理すればよい。
【００２０】
（５）上記（１）〜（４）のいずれか記載の同期歌詞ファイル配信装置において、ネットワークを介して前記音楽ファイルを取得する音楽ファイル取得サーバと、前記音楽ファイル取得サーバが取得した前記音楽ファイルと前記同期歌詞ファイルＤＢが記憶する前記同期歌詞ファイルとから前記同期歌詞付き音楽ファイルを作成する同期歌詞付き音楽ファイル作成部とをさらに含み、前記ウェブサービスサーバは、さらに、クライアントからの前記同期歌詞付き音楽ファイルの配信要求に対し、前記同期歌詞付き音楽ファイル作成部によって作成された前記同期歌詞付き音楽ファイルを取得して当該クライアントの前記音楽ファイル管理端末に対して配信する機能をさらに有することが好ましい。
【００２１】
上記（５）に記載の同期歌詞ファイル配信装置によれば、クライアントから同期歌詞付き音楽ファイルの配信を希望する旨の要求があった場合には、要求のあった同期歌詞付き音楽ファイルを当該クライアントの音楽ファイル管理端末に対して配信することが可能となる。
【００２２】
（６）上記（１）〜（５）のいずれか記載の同期歌詞ファイル配信装置において、音楽データ及び暗号化同期歌詞データを含む同期歌詞付き音楽ファイルを記憶する同期歌詞付き音楽ファイルＤＢをさらに含み、前記ウェブサービスサーバは、クライアントからの前記同期歌詞付き音楽ファイルの配信要求に対し、前記同期歌詞付き音楽ファイルＤＢから前記同期歌詞付き音楽ファイルを取得して当該クライアントの前記音楽ファイル管理端末に対して配信する機能をさらに有することが好ましい。
【００２３】
上記（６）に記載の同期歌詞ファイル配信装置によれば、クライアントから同期歌詞付き音楽ファイルの配信を希望する旨の要求があった場合には、要求のあった同期歌詞付き音楽ファイルを当該クライアントの音楽ファイル管理端末に対して配信することが可能となる。
【００２４】
（７）本発明の音楽ファイル管理端末は、暗号化された同期歌詞データ（以下、暗号化同期歌詞データという。）を含む同期歌詞ファイルを配信するための同期歌詞ファイル配信装置に対し、前記同期歌詞ファイルの配信要求を行うと共に、音楽再生に同期した前記同期歌詞データの表示許可要求を行う送受信部と、前記同期歌詞データを同期化させる音楽データを含む音楽ファイルを記憶する音楽ファイル記憶部と、前記同期歌詞ファイルの配信要求に対して前記同期歌詞ファイル配信装置から配信された前記同期歌詞ファイルの前記暗号化同期歌詞データと、前記同期歌詞データの表示許可要求に対する前記同期歌詞ファイル配信装置からの当該クライアントの認証情報又は該認証情報に基づいて生成されたライセンスキーとを、音楽・同期歌詞再生端末に対して送信するインタフェース部とを含み、前記認証情報は、前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認されたことを条件に、前記同期歌詞ファイル配信装置から配信される情報であり、前記音楽・同期歌詞再生端末が、前記認証情報又はライセンスキーに基づいて前記暗号化同期歌詞データを復号化して前記音楽再生に同期した同期歌詞データの表示を行う音楽ファイル管理端末に関係する。
【００２５】
上記（７）記載の音楽ファイル管理端末によれば、従来の同期歌詞配信システムの場合とは異なり、同期歌詞付き音楽ファイルではなく同期歌詞ファイルがクライアントに対して配信されるため、当該クライアントには重複して音楽データが配信されることがなくなる。その結果、本発明の音楽ファイル管理端末によれば、クライアントが既に音楽ファイルを所有している場合に音楽データの取得費用が重複して発生してしまうという事態が発生することがなくなる。
【００２６】
また、上記（７）に記載の音楽ファイル管理端末によれば、従来の同期歌詞配信システムの場合と同様に、クライアントにとってもプロバイダにとっても以下のように大きな利益が得られる。すなわち、クライアントにとっては、本発明の音楽ファイル管理端末に対して同期歌詞ファイルの配信を希望することで得られる同期歌詞ファイルから暗号化同期歌詞データを抽出することにより、自己の所有する音楽ファイルに対応した同期歌詞データを用意できるようになる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データを含む同期歌詞ファイルをクライアントに対して配信するとともに、クライアントが現時点で有効な同期歌詞配信会員である場合にのみ、有効期間が定められたライセンスキーを作成するための認証情報を当該クライアントに対して送信することで、爾後の適切な著作権管理が可能となり、所定条件下での確実な課金が可能となるという利益が得られる。
【００２７】
上記（７）に記載の音楽ファイル管理端末においては、音楽ファイルとして、ＭＰ３、ＷＭＡ、ＡＡＣ（ドルビー  ラボラトリーズ  ライセンシング  コーポレーションの登録商標。）などのフォーマット形式の音楽ファイルを好ましく用いることができる。
【００２８】
（８）上記（７）に記載の音楽ファイル管理端末において、前記同期歌詞ファイル配信装置から配信される前記暗号化同期歌詞データを記憶する同期歌詞データ記憶部をさらに含み、前記同期歌詞データ記憶部は、前記認証情報により当該クライアントが有効な同期歌詞配信会員であることが確認されたか否かにかかわらず、前記暗号化同期歌詞データを記憶し続ける機能を有することが好ましい。
【００２９】
上記（８）に記載の音楽ファイル管理端末によれば、認証情報により当該クライアントが同期歌詞配信会員として有効期間が経過した後であっても、音楽ファイル管理端末は、既に作成した同期歌詞付き音楽ファイルを記憶し続けることが可能となり、音楽・同期歌詞再生端末は、既に記憶している同期歌詞付き音楽ファイルを記憶し続けることが可能となるため、例えばクライアントが同期歌詞配信会員としての参加を取り止めた後、再参加するなどして同期歌詞配信会員として再度有効期間となったような場合であっても、参加を取り止める前に作成しておいた同期歌詞付き音楽ファイルに含まれる暗号化同期歌詞データから音楽再生に同期して歌詞を表示することが可能となる。
【００３０】
（９）上記（７）又は（８）記載の音楽ファイル管理端末において、前記音楽ファイルに含まれる前記音楽データから音楽を再生する音楽再生部と、前記認証情報により当該クライアントが有効な同期歌詞配信会員であることが確認されたことを条件に前記同期歌詞データに含まれる前記暗号化同期歌詞データから音楽再生に同期して歌詞を表示する同期歌詞表示部とをさらに有することが好ましい。
【００３１】
上記（９）に記載の音楽ファイル管理端末によれば、音楽ファイル管理端末を用いることによっても、同期歌詞付き音楽ファイルに含まれる暗号化同期歌詞データから音楽再生に同期して歌詞を表示することが可能となり、クライアントにとっての利便性が高まる。
【００３２】
（１０）上記（９）に記載の音楽ファイル管理端末において、前記同期歌詞表示部は、前記認証情報により当該クライアントが有効な同期歌詞配信会員であることが確認されたか否かにかかわらず、前記同期歌詞データに含まれる前記暗号化同期歌詞データから歌詞の一部を表示することができるように構成されていることが好ましい。
【００３３】
上記（１０）に記載の音楽ファイル管理端末によれば、同期歌詞配信会員として有効ではないクライアントに対しては、本発明に係る同期歌詞ファイルの配信システムの機能の一部を体験させることで、本発明に係る同期歌詞ファイルの配信システムの素晴らしさ、楽しさなどを知らしめることができ、同期歌詞配信会員としての参加を促すことが可能となる。また、同期歌詞配信会員としての有効期間が経過したクライアントに対しては、本発明に係る同期歌詞ファイルの配信システムの機能の一部を再体験させることで、本発明に係る同期歌詞ファイルの配信システムの素晴らしさ、楽しさなどを再認識させることができ、同期歌詞配信会員としての再参加を促すことが可能となる。
【００３４】
本発明の音楽ファイル管理端末においては、歌詞の一部として、例えば、曲の頭から４５秒間の歌詞を例示することができる。
【００３５】
この場合、音楽ファイル管理端末の同期歌詞表示部は、認証情報により当該クライアントが有効な同期歌詞配信会員であることが確認されなかった場合には、暗号化同期歌詞データのうち曲の頭から４５秒間の部分の暗号化同期歌詞データのみを復号化することができるように構成されていてもよいし、予め１曲分の暗号化同期歌詞データを復号化しておくとともに、上記場合には曲の頭から４５秒間の部分のみ歌詞を表示することができるように構成されていてもよい。
【００３６】
（１１）本発明の音楽・同期歌詞再生端末は、暗号化された同期歌詞データ（以下、暗号化同期歌詞データという。）に基づいて音楽再生に同期して歌詞を表示するための音楽・同期歌詞再生端末であって、前記暗号化同期歌詞データを含む同期歌詞ファイルを配信するための同期歌詞ファイル配信装置によって配信された前記同期歌詞ファイルを記憶する同期歌詞ファイル記憶部と、音楽データを含む音楽ファイルを記憶する音楽ファイル記憶部と、前記音楽ファイルに含まれる前記音楽データから音楽を再生する音楽再生部と、前記同期歌詞ファイル配信装置からの認証情報に基づいて該クライアントが有効な同期歌詞配信会員であることが確認されたことを条件に、前記同期歌詞ファイルに含まれる前記暗号化同期歌詞データを復号化して得られた同期歌詞データを音楽再生に同期して歌詞を表示する同期歌詞表示部とを含み、前記認証情報は、前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認されたことを条件に、前記同期歌詞ファイル配信装置から配信される情報である音楽・同期歌詞再生端末に関係する。
【００３７】
上記（１１）に記載の音楽・同期歌詞再生端末によれば、従来の同期歌詞配信システムの場合とは異なり、同期歌詞付き音楽ファイルではなく同期歌詞ファイルがクライアントに対して配信されるため、当該クライアントには重複して音楽データが配信されることがなくなる。その結果、本発明の音楽・同期歌詞再生端末によれば、クライアントが既に音楽ファイルを所有している場合に音楽データの取得費用が重複して発生してしまうという事態が発生することがなくなる。
【００３８】
また、上記（１１）に記載の音楽・同期歌詞再生端末によれば、従来の同期歌詞配信システムの場合と同様に、クライアントにとってもプロバイダにとっても以下のように大きな利益が得られる。すなわち、クライアントにとっては、同期歌詞ファイルの配信を希望することで得られる同期歌詞ファイルから暗号化同期歌詞データを抽出することにより、自己の所有する音楽ファイルに対応した同期歌詞データを用意できるようになる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データを含む同期歌詞ファイルをクライアントに対して配信するとともに、クライアントが現時点で有効な同期歌詞配信会員である場合にのみ、有効期間が定められたライセンスキーを作成するための認証情報を当該クライアントに対して送信することで、爾後の適切な著作権管理が可能となり、所定条件下での確実な課金が可能となるという利益が得られる。
【００３９】
上記（１１）に記載の音楽・同期歌詞再生端末においては、音楽ファイルとして、ＭＰ３、ＷＭＡ、ＡＡＣ（ドルビー  ラボラトリーズ  ライセンシング  コーポレーションの登録商標。）などのフォーマット形式の音楽ファイルを好ましく用いることができる。
【００４０】
（１２）上記（１１）に記載の音楽・同期歌詞再生端末において、前記同期歌詞ファイル記憶部は、前記認証情報により当該クライアントが有効な同期歌詞配信会員であることが確認されたか否かにかかわらず、前記同期歌詞ファイルを記憶し続ける機能を有することが好ましい。
【００４１】
上記（１２）に記載の音楽・同期歌詞再生端末によれば、認証情報により当該クライアントが同期歌詞配信会員として有効期間が経過した後であっても、音楽・同期歌詞再生端末は、既に作成した同期歌詞付き音楽ファイルを記憶し続けることが可能となり、音楽・同期歌詞再生端末は、既に記憶している同期歌詞付き音楽ファイルを記憶し続けることが可能となるため、例えばクライアントが同期歌詞配信会員としての参加を取り止めた後、再参加するなどして同期歌詞配信会員として再度有効期間となったような場合であっても、参加を取り止める前に作成しておいた同期歌詞付き音楽ファイルに含まれる暗号化同期歌詞データから音楽再生に同期して歌詞を表示することが可能となる。
【００４２】
（１３）上記（１１）又は（１２）に記載の音楽・同期歌詞再生端末において、前記音楽再生部は、前記認証情報により当該クライアントが有効な同期歌詞配信会員であることが確認されたか否かにかかわらず、前記音楽ファイルに含まれる前記音楽データから音楽を再生する機能をさらに有することが好ましい。
【００４３】
上記（１３）に記載の音楽・同期歌詞再生端末によれば、認証情報により当該クライアントが同期歌詞配信会員として有効期間が経過した後であっても、歌詞が表示されないだけで音楽を再生することが可能となるため、例えばクライアントが同期歌詞配信会員としての参加を取り止めて無効な同期歌詞配信会員となったとしても、既に作成した同期歌詞付き音楽ファイルが無駄になってしまうということがなくなる。
【００４４】
（１４）本発明の同期歌詞配信システムは、上記（１）〜（６）のいずれかに記載の同期歌詞ファイル配信装置と、音楽ファイル管理端末と、音楽・同期歌詞再生端末とを含み、前記音楽ファイル管理端末が、前記同期歌詞ファイル配信装置に対し、前記同期歌詞ファイルの配信要求を行うと共に、音楽再生に同期した前記同期歌詞データの表示許可要求を行い、前記同期歌詞ファイルの配信要求に対して前記同期歌詞ファイル配信装置から配信された前記同期歌詞ファイルの前記暗号化同期歌詞データと、前記同期歌詞データの表示許可要求に対して前記同期歌詞ファイル配信装置からの当該クライアントの認証情報又は該認証情報に基づいて生成されたライセンスキーとを、前記音楽・同期歌詞再生端末に対して送信し、前記音楽・同期歌詞再生端末は、前記音楽ファイル管理端末からの認証情報又は前記ラインセンスキーに基づいて、前記暗号化同期歌詞データを復号化して前記音楽再生に同期した同期歌詞データの表示を行う同期歌詞配信システムに関係する。
【００４５】
上記（１４）に記載の同期歌詞配信システムによれば、従来の同期歌詞配信システムの場合とは異なり、同期歌詞付き音楽ファイルではなく同期歌詞ファイルをクライアントに対して配信するため、当該クライアントには重複して音楽データが配信されることがなくなる。その結果、本発明の同期歌詞配信システムによれば、クライアントが既に音楽ファイルを所有している場合に音楽データの取得費用が重複して発生してしまうという事態が発生することがなくなる。
【００４６】
また、上記（１４）に記載の同期歌詞配信システムによれば、従来の同期歌詞配信システムの場合と同様に、クライアントにとってもプロバイダにとっても以下のように大きな利益が得られる。すなわち、クライアントにとっては、本発明の同期歌詞ファイル配信装置に対して同期歌詞ファイルの配信を希望することで得られる同期歌詞ファイルから暗号化同期歌詞データを抽出することにより、自己の所有する音楽ファイルに対応した同期歌詞データを用意できるようになる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データを含む同期歌詞ファイルをクライアントに対して配信するとともに、クライアントが現時点で有効な同期歌詞配信会員である場合にのみ、有効期間が定められたライセンスキーを作成するための認証情報を当該クライアントに対して送信することで、爾後の適切な著作権管理が可能となり、所定条件下での確実な課金が可能となるという利益が得られる。
【００４７】
上記（１４）に記載の同期歌詞配信システムにおいては、音楽ファイルとして、ＭＰ３、ＷＭＡ、ＡＡＣ（ドルビー  ラボラトリーズ  ライセンシング  コーポレーションの登録商標。）などのフォーマット形式の音楽ファイルを好ましく用いることができる。
【００４８】
（１５）本発明の同期歌詞配信システムは、暗号化された同期歌詞データ（以下、暗号化同期歌詞データという。）を含む同期歌詞ファイルを配信する同期歌詞ファイル配信装置と、前記同期歌詞ファイル配信装置に対して前記同期歌詞ファイルの配信要求を行う上記（７）〜（１０）のいずれかに記載の音楽ファイル管理端末と、音楽・同期歌詞再生端末とを含み、前記同期歌詞ファイル配信装置が、前記クライアントからの前記同期歌詞ファイルの配信要求に対し、前記同期歌詞ファイルＤＢから前記同期歌詞ファイルを取得して当該クライアントの音楽ファイル管理端末に対して配信すると共に、前記クライアントからの音楽再生に同期した前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認された場合に、前記暗号化同期歌詞データを復号化するための当該クライアントの認証情報を前記音楽ファイル管理端末に対して送信し、前記音楽・同期歌詞再生端末は、前記音楽ファイル管理端末からの認証情報又は前記認証情報に基づいて生成されたライセンスキーに基づいて、前記暗号化同期歌詞データを復号化して前記音楽再生に同期した同期歌詞データの表示を行う同期歌詞配信システムに関係する。
【００４９】
上記（１５）に記載の同期歌詞配信システムによれば、従来の同期歌詞配信システムの場合とは異なり、同期歌詞付き音楽ファイルではなく同期歌詞ファイルをクライアントに対して配信するため、当該クライアントには重複して音楽データが配信されることがなくなる。その結果、本発明の同期歌詞配信システムによれば、クライアントが既に音楽ファイルを所有している場合に音楽データの取得費用が重複して発生してしまうという事態が発生することがなくなる。
【００５０】
また、上記（１５）に記載の同期歌詞配信システムによれば、従来の同期歌詞配信システムの場合と同様に、クライアントにとってもプロバイダにとっても以下のように大きな利益が得られる。すなわち、クライアントにとっては、本発明の同期歌詞ファイル配信装置に対して同期歌詞ファイルの配信を希望することで得られる同期歌詞ファイルから暗号化同期歌詞データを抽出することにより、自己の所有する音楽ファイルに対応した同期歌詞データを用意できるようになる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データを含む同期歌詞ファイルをクライアントに対して配信するとともに、クライアントが現時点で有効な同期歌詞配信会員である場合にのみ、有効期間が定められたライセンスキーを作成するための認証情報を当該クライアントに対して送信することで、爾後の適切な著作権管理が可能となり、所定条件下での確実な課金が可能となるという利益が得られる。
【００５１】
上記（１５）に記載の同期歌詞配信システムにおいては、音楽ファイルとして、ＭＰ３、ＷＭＡ、ＡＡＣ（ドルビー  ラボラトリーズ  ライセンシング  コーポレーションの登録商標。）などのフォーマット形式の音楽ファイルを好ましく用いることができる。
【００５２】
（１６）本発明の同期歌詞配信システムは、暗号化された同期歌詞データ（以下、暗号化同期歌詞データという。）を含む同期歌詞ファイルを配信する同期歌詞ファイル配信装置と、音楽ファイル管理端末と、上記（１１）〜（１３）のいずれかに記載の音楽・同期歌詞再生端末とを含み、前記同期歌詞ファイル配信装置は、前記クライアントからの前記同期歌詞ファイルの配信要求に対し、前記同期歌詞ファイルＤＢから前記同期歌詞ファイルを取得して当該クライアントの音楽ファイル管理端末に対して配信すると共に、前記クライアントからの音楽再生に同期した前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認された場合に、前記暗号化同期歌詞データを復号化するための当該クライアントの認証情報を前記音楽ファイル管理端末に対して送信し、前記音楽ファイル管理端末は、前記同期歌詞ファイル配信装置に対し、前記同期歌詞ファイルの配信要求を行うと共に、音楽再生に同期した前記同期歌詞データの表示許可要求を行い、前記同期歌詞ファイルの配信要求に対して前記同期歌詞ファイル配信装置から配信された前記同期歌詞ファイルの前記暗号化同期歌詞データと、前記同期歌詞データの表示許可要求に対して前記同期歌詞ファイル配信装置からの当該クライアントの認証情報又は該認証情報に基づいて生成されたライセンスキーとを、前記音楽・同期歌詞再生端末に対して送信する同期歌詞ファイル配信システムに関係する。
【００５３】
上記（１６）に記載の同期歌詞配信システムによれば、従来の同期歌詞配信システムの場合とは異なり、同期歌詞付き音楽ファイルではなく同期歌詞ファイルをクライアントに対して配信するため、当該クライアントには重複して音楽データが配信されることがなくなる。その結果、本発明の同期歌詞配信システムによれば、クライアントが既に音楽ファイルを所有している場合に音楽データの取得費用が重複して発生してしまうという事態が発生することがなくなる。
【００５４】
また、上記（１６）に記載の同期歌詞配信システムによれば、従来の同期歌詞配信システムの場合と同様に、クライアントにとってもプロバイダにとっても以下のように大きな利益が得られる。すなわち、クライアントにとっては、本発明の同期歌詞ファイル配信装置に対して同期歌詞ファイルの配信を希望することで得られる同期歌詞ファイルから暗号化同期歌詞データを抽出することにより、自己の所有する音楽ファイルに対応した同期歌詞データを用意できるようになる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データを含む同期歌詞ファイルをクライアントに対して配信するとともに、クライアントが現時点で有効な同期歌詞配信会員である場合にのみ、有効期間が定められたライセンスキーを作成するための認証情報を当該クライアントに対して送信することで、爾後の適切な著作権管理が可能となり、所定条件下での確実な課金が可能となるという利益が得られる。
【００５５】
上記（１６）に記載の同期歌詞配信システムにおいては、音楽ファイルとして、ＭＰ３、ＷＭＡ、ＡＡＣ（ドルビー  ラボラトリーズ  ライセンシング  コーポレーションの登録商標。）などのフォーマット形式の音楽ファイルを好ましく用いることができる。
【００５６】
（１７）本発明の同期歌詞ファイル配信装置用プログラムは、コンピュータを、暗号化された同期歌詞データ（以下、暗号化同期歌詞データという。）を含む同期歌詞ファイルを配信するための同期歌詞ファイル配信装置として機能させるための同期歌詞ファイル配信装置用プログラムであって、前記同期歌詞ファイルを記憶する同期歌詞ファイルＤＢと、前記同期歌詞データを同期させる音楽データを含む音楽ファイルを管理するための音楽ファイル管理端末に対して、前記同期歌詞ファイルの配信を希望するクライアントからの要求に対応した応答処理を行うウェブサービスサーバとして前記コンピュータを機能させ、前記ウェブサービスサーバは、前記クライアントからの前記同期歌詞ファイルの配信要求に対し、前記同期歌詞ファイルＤＢから前記同期歌詞ファイルを取得して当該クライアントの音楽ファイル管理端末に対して配信すると共に、前記クライアントからの音楽再生に同期した前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認された場合に、前記暗号化同期歌詞データを復号化するための当該クライアントの認証情報を前記音楽ファイル管理端末に対して送信する同期歌詞ファイル配信装置用プログラムに関係する。
【００５７】
上記（１７）に記載の同期歌詞ファイル配信装置用プログラムによれば、コンピュータを、上記（１）に記載の同期歌詞ファイル配信装置として機能させることが可能となる。
【００５８】
（１８）本発明の音楽ファイル管理端末用プログラムは、コンピュータを、音楽ファイル管理端末として機能させるための音楽ファイル管理端末用プログラムであって、暗号化された同期歌詞データ（以下、暗号化同期歌詞データという。）を含む同期歌詞ファイルを配信するための同期歌詞ファイル配信装置に対し、前記同期歌詞ファイルの配信要求を行うと共に、音楽再生に同期した前記同期歌詞データの表示許可要求を行う送受信部と、前記同期歌詞データを同期化させる音楽データを含む音楽ファイルを記憶する音楽ファイル記憶部と、前記同期歌詞ファイルの配信要求に対して前記同期歌詞ファイル配信装置から配信された前記同期歌詞ファイルの前記暗号化同期歌詞データと、前記同期歌詞データの表示許可要求に対して前記同期歌詞ファイル配信装置からの当該クライアントの認証情報又は該認証情報に基づいて生成されたライセンスキーとを、前記認証情報又は前記ライセンスキーに基づいて前記暗号化同期歌詞データを復号化して前記音楽再生に同期した同期歌詞データの表示を行う音楽・同期歌詞再生端末に対して送信するインタフェース部として前記コンピュータを機能させ、前記認証情報は、前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認されたことを条件に、前記同期歌詞ファイル配信装置から配信される情報である音楽ファイル管理端末用プログラムに関係する。
【００５９】
上記（１８）に記載の音楽ファイル管理端末用プログラムによれば、コンピュータを、上記（７）に記載の音楽ファイル管理端末として機能させることが可能となる。
【００６０】
なお、クライアントは自己のコンピュータ（ＰＣ、ＰＤＡを含む。）を音楽ファイル管理端末として機能させるためのマネージャプログラム（音楽ファイル管理端末用プログラム）を、予めプロバイダから入手して自己のコンピュータにインストールしておくことが好ましい。クライアントはマネージャプログラムを、ＣＤ−ＲＯＭなどの記憶媒体を介して入手することもできるし、インターネットを介して入手することもできる。
【００６１】
（１９）本発明の音楽・同期歌詞再生端末用プログラムは、コンピュータを、暗号化された同期歌詞データ（以下、暗号化同期歌詞データという。）に基づいて音楽再生に同期して歌詞を表示するための音楽・同期歌詞再生端末として機能させるための音楽・同期歌詞再生端末用プログラムであって、前記暗号化同期歌詞データを含む同期歌詞ファイルを配信するための同期歌詞ファイル配信装置によって配信された前記同期歌詞ファイルを記憶する同期歌詞ファイル記憶部と、音楽データを含む音楽ファイルを記憶する音楽ファイル記憶部と、前記音楽ファイルに含まれる前記音楽データから音楽を再生する音楽再生部と、前記同期歌詞ファイル配信装置からの認証情報に基づいて該クライアントが有効な同期歌詞配信会員であることが確認されたことを条件に、前記同期歌詞ファイルに含まれる前記暗号化同期歌詞データから音楽再生に同期して歌詞を表示する同期歌詞表示部として前記コンピュータを機能させ、前記認証情報は、前記同期歌詞データの表示許可要求に対し、各同期歌詞配信会員が有効であるか否かが登録された同期歌詞配信会員ＤＢを参照して当該クライアントが現時点で有効な同期歌詞配信会員であると確認されたことを条件に、前記同期歌詞ファイル配信装置から配信される情報である音楽・同期歌詞再生端末用プログラムに関係する。
【００６２】
上記（１９）に記載の音楽・同期歌詞再生端末用プログラムによれば、コンピュータを、上記（１１）に記載の音楽ファイル管理端末として機能させることが可能となる。
【００６３】
なお、クライアントは自己のコンピュータ（ＰＣ、ＰＤＡを含む。）を音楽・同期歌詞再生端末として機能させるためのマネージャプログラム（音楽・同期歌詞再生端末用プログラム）を、予めプロバイダから入手して自己のコンピュータにインストールしておくことが好ましい。クライアントはマネージャプログラムを、ＣＤ−ＲＯＭなどの記憶媒体を介して入手することもできるし、インターネットを介して入手することもできる。
【発明を実施するための最良の形態】
【００６４】
以下、本発明の同期歌詞配信システム、同期歌詞ファイル配信装置、音楽ファイル管理端末、音楽・同期歌詞再生端末、同期歌詞ファイル配信装置用プログラム、音楽ファイル管理端末用プログラム、音楽・同期歌詞再生端末用プログラムについて、図に示す実施の形態に基づいて説明する。
【００６５】
〔実施形態１〕
実施形態１は、既に音楽ファイルを所有しているクライアントが、本発明の同期歌詞配信システムを利用して同期歌詞ファイルの配信を受ける場合を想定した実施形態である。また、実施形態１は、プロバイダが所有する同期歌詞ファイルを、クライアントが所有する音楽ファイルの音楽再生に同期させて表示する場合を説明するための実施形態である。なお、クライアントにおいて作成された同期歌詞付き音楽ファイルは、後述する実施形態５の場合とは異なり、音楽・同期歌詞再生後もクライアント側に残る。
【００６６】
まず、実施形態１に係る同期歌詞配信システム１００の構成について、図１〜図７を用いて説明する。
【００６７】
図１は、実施形態１に係る同期歌詞配信システム１００を説明するために示す図である。図２は、実施形態１に係る同期歌詞配信システム１００における音楽ファイル管理端末としての同期歌詞付き音楽ファイル管理端末３００の機能ブロック図である。図３は、実施形態１に係る同期歌詞配信システム１００における音楽・同期歌詞再生端末としての携帯型音楽・同期歌詞再生端末４００の機能ブロック図である。図４は、実施形態１に係る同期歌詞配信システム１００における同期歌詞ファイル配信装置用プログラムの処理例のフローチャートである。図５は、実施形態１に係る同期歌詞配信システム１００における同期歌詞付き音楽ファイル管理端末３００の受信処理例のフローチャートである。図６は、実施形態１に係る同期歌詞配信システム１００における同期歌詞付き音楽ファイル管理端末３００の再生処理例及び転送処理例のフローチャートである。図７は、実施形態１に係る同期歌詞配信システム１００における携帯型音楽・同期歌詞再生端末４００の処理例のフローチャートである。
【００６８】
実施形態１に係る同期歌詞配信システム１００は、図１に示すように、同期歌詞ファイル配信装置２００と、同期歌詞付き音楽ファイル管理端末３００（広義には、音楽ファイル管理端末）と、携帯型音楽・同期歌詞再生端末４００（広義には、音楽・同期歌詞再生端末）とを備える。実施形態１に係る同期歌詞配信システム１００においては、プロバイダが同期歌詞ファイル配信装置２００を所有しており、クライアントが同期歌詞付き音楽ファイル管理端末３００及び携帯型音楽・同期歌詞再生端末４００を所有している。同期歌詞付き音楽ファイル管理端末３００は、有線又は無線の伝送路を介して、携帯型音楽・同期歌詞再生端末４００に対し、予め暗号化された同期歌詞データを含む同期歌詞ファイルと、該同期歌詞データを同期して表示させる音楽ファイルと、該同期歌詞データを復号化するためのライセンスキーとを転送する。
【００６９】
同期歌詞ファイル配信装置２００は、暗号化された同期歌詞データ２２（以下、暗号化同期歌詞データという。）を含む同期歌詞ファイル２０を記憶する同期歌詞ファイルＤＢ２１０と、同期歌詞ファイルの配信を希望するクライアントからの要求に対応した応答処理を行うウェブサービスサーバ２４０とを有する。
【００７０】
同期歌詞配信システム１００では、クライアント（より具体的には、クライアントが所有する同期歌詞付き音楽ファイル管理端末３００）からの同期歌詞ファイルの配信要求に対して、同期歌詞ファイル２０が配信される。この同期歌詞ファイル２０に含まれる暗号化同期歌詞データは、クライアントの同期歌詞付き音楽ファイル管理端末３００に対して送信される認証情報に基づいて復号化された後に利用できるようになっている。認証情報は、予め同期歌詞配信会員として登録され、かつ現時点で有効な同期歌詞配信会員であるクライアントであることを示す情報である。有効な同期歌詞配信会員とは、予め登録された会員であって、所定の会員条件を満足する会員をいう。この会員条件としては、例えば毎月の登録料の支払いを条件とすることができる。
【００７１】
そこで、同期歌詞配信システム１００は、同期歌詞配信システム１００に参加する同期歌詞配信会員に関する情報を記憶する同期歌詞配信会員ＤＢ２３０をさらに有する。同期歌詞配信会員ＤＢ２３０には、同期歌詞配信会員に関する情報として、各同期歌詞配信会員が有効であるか否かを示す情報が登録されている。同期歌詞ファイル配信装置２００は、ネットワークを介して同期歌詞配信会員ＤＢが記憶する情報を参照したり、同期歌詞ファイル配信装置２００のウェブサービスサーバ２４０が同期歌詞配信会員ＤＢ２３０に直接アクセスして同期歌詞配信会員ＤＢが記憶する情報を参照したりすることができる。
【００７２】
また、同期歌詞配信システム１００は、音楽再生に同期して歌詞を表示するための同期情報を含まない、単なるテキストデータからなる歌詞データ（以下、非同期歌詞データという。）を含む非同期歌詞ファイルを記憶する非同期歌詞ファイルＤＢ２２０をさらに有することができる。この非同期歌詞ファイルもまた、現時点で有効な同期歌詞配信会員であるクライアントからの配信要求に対して配信される。同期歌詞ファイル配信装置２００は、ネットワークを介して非同期歌詞ファイルＤＢ２２０に記憶される非同期歌詞ファイルを同期歌詞付き音楽ファイル管理端末３００に対して送信させたり、同期歌詞ファイル配信装置２００のウェブサービスサーバ２４０が直接アクセスして非同期歌詞ファイルＤＢ２２０に記憶される非同期歌詞ファイルを同期歌詞付き音楽ファイル管理端末３００に対して送信させたりすることができる。
【００７３】
同期歌詞ファイル配信装置２００のウェブサービスサーバ２４０は、クライアントから同期歌詞ファイル２０の配信を希望する旨の要求（配信要求）があったとき、当該クライアントが現時点で有効な同期歌詞配信会員であるか否かを同期歌詞配信会員ＤＢ２３０が記憶する情報と照合して、当該クライアントが現時点で有効な同期歌詞配信会員であると確認された場合に、同期歌詞ファイルＤＢ２１０から同期歌詞ファイル２０を取得して当該クライアントの同期歌詞付き音楽ファイル管理端末３００に対して配信する。
【００７４】
また、ウェブサービスサーバ２４０は、クライアントから、音楽再生に同期した同期歌詞データの表示許可要求があったとき、当該クライアントが現時点で有効な同期歌詞配信会員であるか否かを同期歌詞配信会員ＤＢ２３０が記憶する情報と照合して、当該クライアントが現時点で有効な同期歌詞配信会員であると確認された場合に、当該クライアントが現時点で有効な同期歌詞配信会員であると確認されたことを示す認証情報（ＡＵ）４０を当該クライアントの同期歌詞付き音楽ファイル管理端末３００に対して送信する。
【００７５】
このような同期歌詞ファイル配信装置２００（ウェブサービスサーバ２４０）は、中央演算処理装置（Central Processing Unit：ＣＰＵ)及びメモリを有し、該メモリに格納されたプログラム（同期歌詞ファイル配信装置用プログラム）を読み込んで該プログラムに対応した処理を実行することで、図４に示す処理を実行することができるようになっている。
【００７６】
図４に示すように、まず、同期歌詞ファイル配信装置２００は、ネットワークを介したクライアント側からの各種の要求を監視している。そして、同期歌詞ファイル配信装置２００は、ネットワークを介してクライアントの同期歌詞付き音楽ファイル管理端末３００から、同期歌詞ファイルの配信要求があったとき（ステップＳ１０：Ｙ）、同期歌詞ファイルＤＢ２１０を検索して（ステップＳ１２）、要求のあった同期歌詞ファイルを取得する。そして、同期歌詞ファイル配信装置２００は、該同期歌詞ファイルを同期歌詞付き音楽ファイル管理端末３００に対して配信し（ステップＳ１４）、ステップＳ１０に戻る（リターン）。
【００７７】
一方、ステップＳ１０において、同期歌詞付き音楽ファイル管理端末３００からの要求が同期歌詞ファイルの配信要求ではなく、ネットワークを介してクライアントの同期歌詞付き音楽ファイル管理端末３００から、既に配信済みの同期歌詞ファイルに含まれる同期歌詞データの表示許可要求があったとき（ステップＳ１０：Ｎ、ステップＳ１６：Ｙ）、同期歌詞ファイル配信装置２００は、当該クライアントの識別情報を検索キーとして同期歌詞配信会員ＤＢ２３０を検索して当該クライアントが現時点で有効な同期歌詞配信会員であるか否かを判別する（ステップＳ１８）。
【００７８】
ステップＳ１８の検索の結果、当該クライアントが現時点で有効な同期歌詞配信会員であることが確認されると（ステップＳ２０：Ｙ）、当該クライアントが現時点で有効な同期歌詞配信会員であることを示す認証情報（ＯＫ）を当該クライアントの同期歌詞付き音楽ファイル管理端末３００に対して送信し（ステップＳ２２）、ステップＳ１０に戻る（リターン）。
【００７９】
ステップＳ１８の検索の結果、当該クライアントが現時点で有効な同期歌詞配信会員であることが確認されなかったとき（ステップＳ２０：Ｎ）、当該クライアントが現時点で有効な同期歌詞配信会員ではないことを示す認証情報（ＮＧ）を当該クライアントの同期歌詞付き音楽ファイル管理端末３００に対して送信し（ステップＳ２４）、ステップＳ１０に戻る（リターン）。
【００８０】
なお、ステップＳ１６において、同期歌詞付き音楽ファイル管理端末３００からの要求が、同期歌詞ファイルに含まれる同期歌詞データの表示許可要求ではないとき（ステップＳ１６：Ｎ）、ステップＳ１０に戻る（リターン）。ステップＳ１６において、既に配信済みの同期歌詞ファイルに対する表示許可要求に限定しないことで、同期歌詞ファイルを他の同期歌詞付き音楽ファイル管理端末からコピーして取得した場合でも、有効な同期歌詞配信会員である限り、コピーされた同期歌詞ファイルを記憶する同期歌詞付き音楽ファイル管理端末３００では同期歌詞データの表示を行うことができるようになる。
【００８１】
以上のように、同期歌詞ファイル配信装置２００は、当該クライアントが有効な同期歌詞配信会員であるか否かにかかわらず同期歌詞ファイルを配信する。なお、図４では、当該クライアントが有効な同期歌詞配信会員であるか否かにかかわらず同期歌詞ファイルを配信するものとして説明したが、当該クライアントが有効な同期歌詞配信会員であることを条件に同期歌詞ファイルを配信するようにしてもよい。
【００８２】
同期歌詞付き音楽ファイル管理端末３００（広義には、音楽ファイル管理端末）は、図２に示すように、同期歌詞ファイル配信装置２００との間で各種データの送受信を行う送受信部３１０と、音楽データ１２を含む音楽ファイル１０を記憶する音楽ファイル記憶部３２０と、受信した認証情報４０から暗号化同期歌詞データを復号化するためのライセンスキー４２を作成するライセンスキー作成部３５０と、受信した同期歌詞ファイル２０を記憶する同期歌詞ファイル記憶部３３０（暗号化同期歌詞データを記憶する同期歌詞データ記憶部）と、ライセンスキー作成部３５０により作成されたライセンスキー４２を用いて、同期歌詞ファイル記憶部３３０に記憶された同期歌詞ファイル２０から抽出された暗号化同期歌詞データを復号化する復号化部３４０と、音楽ファイル記憶部３２０に記憶された音楽ファイル１０に含まれる音楽データ１２から音楽を再生する音楽再生部３６０と、復号化部３４０に復号化された同期歌詞データ２４を用いて音楽再生部３６０による音楽再生に同期して歌詞を表示する同期歌詞表示部３７０と、携帯型音楽・同期歌詞再生端末４００との間で各種データの送受信を行うインタフェース部３８０とを有する。
【００８３】
ライセンスキー作成部３５０は、有効期間が定められたライセンスキー４２を作成する。この有効期間は、例えば当該クライアントが同期歌詞配信会員として有効な期間と同じ期間であってもよいし、認証情報４０を受信した時点を基準に所定の期間だけ有効となる期間であってもよい。
【００８４】
送受信部３１０は、同期歌詞ファイル２０の配信を希望する旨の要求を同期歌詞ファイル配信装置２００に対して送信する機能と、ライセンスキー４２を作成するための認証情報４０の送信を希望する旨の要求を同期歌詞データの表示許可要求として同期歌詞ファイル配信装置２００に対して送信する機能と、同期歌詞ファイル配信装置２００から配信された同期歌詞ファイル２０を受信する機能と、同期歌詞ファイル配信装置２００から送信された認証情報４０を受信する機能とを有する。
【００８５】
また、同期歌詞付き音楽ファイル管理端末３００の送受信部３１０は、同期歌詞ファイル配信装置２００に対する同期歌詞ファイルの配信要求を行うたびに、上記の表示許可要求を行うことができる。なお、同期歌詞付き音楽ファイル管理端末３００の送受信部３１０は、前回の表示許可要求タイミングを基準に所定期間（例えば１ヶ月）が経過したことが検出されたときや、当該月において最初の配信要求を行うときに、上記の配信要求を行うたびに、又は上記の配信要求にかかわらず表示要求を行うようにしてもよい。
【００８６】
同期歌詞付き音楽ファイル管理端末３００（送受信部３１０）は、同期歌詞ファイル配信装置２００に対して、自己が所有する音楽ファイル以外の音楽ファイルに対応する同期歌詞ファイルについては、配信を希望する旨の要求をすることができないように構成されている。
【００８７】
同期歌詞ファイル記憶部３３０は、認証情報４０により当該クライアントが現時点で有効な同期歌詞配信会員でないことが確認された場合であっても、同期歌詞ファイル２０を記憶し続ける機能を有する。すなわち、同期歌詞ファイル記憶部３３０は、認証情報４０により当該クライアントが有効な同期歌詞配信会員であることが確認されたか否かにかかわらず、暗号化同期歌詞データを記憶し続ける機能を有する。
【００８８】
音楽再生部３６０は、音楽ファイル記憶部３２０が記憶している音楽ファイル１０に含まれる音楽データ１２から音楽を再生する機能と、同期歌詞表示部３７０に対して音楽再生に同期した同期歌詞の表示のための情報を送信する機能とを有する。なお、音楽再生部３６０が同期歌詞表示部３７０に対して音楽再生に同期した同期歌詞の表示のための情報を送信する機能を有する代わりに、同期歌詞表示部３７０が、音楽再生部３６０に対して音楽再生に同期した同期歌詞の表示のための情報を送信する機能を有していてもよい。
【００８９】
同期歌詞表示部３７０は、復号化部３４０によりライセンスキー４２を用いた復号化処理が行われたか否かを確認して、その確認がなされた場合にのみ、暗号化同期歌詞データ２２を復号化して得られた同期歌詞データを表示させるように構成されている。
【００９０】
同期歌詞表示部３７０は、認証情報４０により当該クライアントが現時点で有効な同期歌詞配信会員でないことが確認された場合であっても、同期歌詞ファイル２０に含まれる暗号化同期歌詞データ２２から歌詞の一部（例えば、曲の頭から４５秒間の歌詞。）を表示することができるように構成されている。
【００９１】
同期歌詞表示部３７０は、認証情報４０により当該クライアントが現時点で有効な同期歌詞配信会員でないことが確認された場合には、例えば曲の頭から４５秒間の部分のみ歌詞を表示することができるように構成されている。従って、復号化部３４０は、認証情報４０により当該クライアントが現時点で有効な同期歌詞配信会員であるか否かにかかわらず、暗号化同期歌詞データの一部を復号化して同期歌詞表示部３７０に表示させるように構成されている。
【００９２】
インタフェース部３８０は、音楽ファイル記憶部３２０に記憶された音楽ファイル１０を携帯型音楽・同期歌詞再生端末４００に対して送信（転送）する機能と、同期歌詞ファイル記憶部３３０に記憶された同期歌詞ファイル２０を携帯型音楽・同期歌詞再生端末４００に対して送信（転送）する機能と、ライセンスキー作成部３５０により作成されたライセンスキー４２を携帯型音楽・同期歌詞再生端末４００に対して送信する機能とを有する。
【００９３】
なお、インタフェース部３８０は、ライセンスキー４２に代えて同期歌詞ファイル配信装置２００からの認証情報４０そのものを携帯型音楽・同期歌詞再生端末４００に対して送信し、携帯型音楽・同期歌詞再生端末４００に該認証情報４０に基づいてライセンスキー４２を作成させるようにしてもよい。
【００９４】
このような同期歌詞付き音楽ファイル管理端末３００は、ＣＰＵ及びメモリを有し、該メモリに格納されたプログラム（音楽ファイル管理端末用プログラム）を読み込んで該プログラムに対応した処理を実行することで、図５に示す受信処理及び図６に示す再生処理を実行することができるようになっている。
【００９５】
同期歌詞付き音楽ファイル管理端末３００が受信処理を行う場合、図５に示すように、まず、図示しない送信処理において同期歌詞ファイル配信装置２００に対して行った同期歌詞ファイルの配信要求に対する応答として、ネットワークを介した同期歌詞ファイル配信装置２００からの同期歌詞ファイルの受信を待機している（ステップＳ３０）。そして、同期歌詞ファイルの受信が検出されたとき（ステップＳ３０：Ｙ）、同期歌詞付き音楽ファイル管理端末３００は、受信した同期歌詞ファイル２０を同期歌詞ファイル記憶部３３０に保存し（ステップＳ３２）、ステップＳ３０に戻る（リターン）。
【００９６】
ステップＳ３０において、同期歌詞ファイルの受信ではなく、同期歌詞ファイル配信装置２００から認証情報の受信が検出されたとき（ステップＳ３０：Ｎ、ステップＳ３４：Ｙ）、同期歌詞付き音楽ファイル管理端末３００は、受信した認証情報４０を図示しないバッファに保存する（ステップＳ３６）。
【００９７】
ライセンスキー作成部３５０は、このバッファに保存された認証情報４０に基づいてライセンスキーを作成する。すなわち、受信した認証情報４０により当該クライアントが有効な同期歌詞配信会員であることが確認されたとき（ステップＳ３８：Ｙ）、ライセンスキー作成部３５０は、同期歌詞配信会員として有効期間内であると判断して、有効なライセンスキー４２を作成し（ステップＳ４０）、ステップＳ３０に戻る（リターン）。
【００９８】
ステップＳ３８において、受信した認証情報４０により当該クライアントが有効な同期歌詞配信会員であることが確認されなかったとき（ステップＳ３８：Ｎ）、ライセンスキー作成部３５０は、同期歌詞配信会員として有効期間外であると判断して、所定の非認証処理を行い（ステップＳ４２）、ステップＳ３０に戻る（リターン）。非認証処理としては、無効なライセンスキーを作成して、暗号化同期歌詞データの復号化を正常に処理させないようにしたり、復号化部３４０の処理自体を停止させたりする。
【００９９】
なお、ステップＳ３４において、同期歌詞ファイル配信装置２００から認証情報が受信されなかったとき（ステップＳ３４：Ｎ）、ステップＳ３０に戻る（リターン）。
【０１００】
同期歌詞付き音楽ファイル管理端末３００が再生処理を行う場合、図６に示すように、例えばまず音楽生成を行うか否かが判別される。そして、音楽再生を行う場合（ステップＳ５０：Ｙ）、ライセンスキー作成部３５０により有効なライセンスキー４２が作成されているとき（ステップＳ５２：Ｙ）、復号化部３４０において該ライセンスキー４２を用いた暗号化同期歌詞データに対する復号化処理を行う（ステップＳ５４）。そして、同期歌詞付き音楽ファイル管理端末３００は、音楽再生部３６０による音楽データの音楽再生に同期して、同期歌詞表示部３７０に復号化処理された同期歌詞データを用いた歌詞を表示させ（ステップＳ５６）、その後、ステップＳ５０に戻る（リターン）。
【０１０１】
ステップＳ５８において、認証情報４０により当該クライアントが有効な同期歌詞配信会員であることが確認されず、ライセンスキー作成部３５０からのライセンスキーが無効であるとき（ステップＳ５２：Ｎ）、音楽再生部３６０は、音楽ファイル記憶部３２０に記憶された音楽ファイル１０から音楽再生を行い、音楽再生に同期した歌詞表示を行わず、ステップＳ５０に戻る（リターン）。
【０１０２】
ステップＳ５０において、音楽再生ではなく、携帯型音楽・同期歌詞再生端末４００に対する送信（データ転送）を行うとき（ステップＳ５０：Ｎ、ステップＳ６０：Ｙ）、同期歌詞付き音楽ファイル管理端末３００は、音楽ファイル記憶部３２０に記憶された音楽ファイル１０、同期歌詞ファイル記憶部３３０に記憶された同期歌詞ファイル２０及びライセンスキー作成部３５０で作成された有効なライセンスキー４２を、インタフェース部３８０を介して携帯型音楽・同期歌詞再生端末４００に対して送信する（ステップＳ６２、ステップＳ６４、ステップＳ６６）。その後、同期歌詞付き音楽ファイル管理端末３００は、ステップＳ５０に戻る（リターン）。
【０１０３】
なお、ステップＳ６０において、携帯型音楽・同期歌詞再生端末４００に対する送信を行わないとき（ステップＳ６０：Ｎ）、同期歌詞付き音楽ファイル管理端末３００は、ステップＳ５０に戻る（リターン）。
【０１０４】
携帯型音楽・同期歌詞再生端末４００は、図３に示すように、同期歌詞付き音楽ファイル管理端末３００との間で各種データの送受信を行うインタフェース部４１０と、受信した音楽ファイル１０を記憶する音楽ファイル記憶部４２０と、受信したライセンスキー４２を記憶するライセンスキー記憶部４３０と、受信した同期歌詞ファイル２０を記憶する同期歌詞ファイル記憶部４４０と、ライセンスキー記憶部４３０に記憶されたライセンスキー４２を用いて、同期歌詞ファイル記憶部４４０に記憶された同期歌詞ファイル２０から抽出された暗号化同期歌詞データを復号化する復号化部４５０と、音楽ファイル記憶部４２０に記憶される音楽ファイル１０に含まれる音楽データ１２から音楽を再生する音楽再生部４６０と、復号化部３４０に復号化された同期歌詞データ２４を用いて音楽再生部３６０による音楽再生に同期して歌詞を表示する同期歌詞表示部４７０とを有する。
【０１０５】
インタフェース部４１０は、同期歌詞付き音楽ファイル管理端末３００から音楽ファイル１０を受信する機能と、同期歌詞付き音楽ファイル管理端末３００から同期歌詞ファイル２０を受信する機能と、同期歌詞付き音楽ファイル管理端末３００からライセンスキー４２を受信する機能とを有する。
【０１０６】
同期歌詞ファイル記憶部４４０は、認証情報４０により当該クライアントが現時点で有効な同期歌詞配信会員でないことが確認された場合であっても、同期歌詞ファイル２０を記憶し続ける機能を有する。すなわち、同期歌詞ファイル記憶部４４０は、認証情報４０により当該クライアントが有効な同期歌詞配信会員であることが確認されたか否かにかかわらず、暗号化同期歌詞データを記憶し続ける機能を有する。
【０１０７】
音楽再生部４６０は、認証情報４０により当該クライアントが現時点で有効な同期歌詞配信会員でないことが確認された場合であっても、同期歌詞ファイル２０による歌詞の表示を行うことなく、音楽ファイル１０に含まれる音楽データ１２から音楽を再生する機能をさらに有する。
【０１０８】
同期歌詞表示部４７０は、復号化部４５０によりライセンスキー４２を用いた復号化処理が行われたか否かを確認して、その確認がなされた場合にのみ、暗号化同期歌詞データ２２を復号化して得られた同期歌詞データを表示させるように構成されている。
【０１０９】
同期歌詞表示部４７０は、認証情報４０により当該クライアントが現時点で有効な同期歌詞配信会員でないことが確認された場合であっても、同期歌詞ファイル２０に含まれる暗号化同期歌詞データ２２から歌詞の一部（例えば、曲の頭から４５秒間の歌詞。）を表示することができるように構成されている。
【０１１０】
同期歌詞表示部４７０は、認証情報４０により当該クライアントが現時点で有効な同期歌詞配信会員でないことが確認された場合には、例えば曲の頭から４５秒間の部分のみ歌詞を表示することができるように構成されている。従って、復号化部４５０は、認証情報４０により当該クライアントが現時点で有効な同期歌詞配信会員であるか否かにかかわらず、暗号化同期歌詞データの一部を復号化して同期歌詞表示部４７０に表示させるように構成されている。
【０１１１】
このような携帯型音楽・同期歌詞再生端末４００は、ＣＰＵ及びメモリを有し、該メモリに格納されたプログラム（音楽・同期歌詞再生端末用プログラム）を読み込んで該プログラムに対応した処理を実行することで、図７に示す処理を実行することができるようになっている。
【０１１２】
携帯型音楽・同期歌詞再生端末４００が再生処理を行う場合、図７に示すように、ライセンスキー作成部３５０により有効なライセンスキー４２が作成されているとき（ステップＳ７０：Ｙ）、復号化部４５０において該ライセンスキー４２を用いた暗号化同期歌詞データに対する復号化処理を行う（ステップＳ７２）。そして、携帯型音楽・同期歌詞再生端末４００は、音楽再生部４６０による音楽データの音楽再生に同期して、同期歌詞表示部４７０に復号化処理された同期歌詞データを用いた歌詞を表示させ（ステップＳ７４）、その後、ステップＳ７０に戻る（リターン）。
【０１１３】
ステップＳ７０において、認証情報４０により当該クライアントが有効な同期歌詞配信会員であることが確認されず、ライセンスキー記憶部４３０に有効なライセンスキー４２が記憶されていないとき（ステップＳ７０：Ｎ）、音楽再生部４６０は、音楽ファイル記憶部４２０に記憶された音楽ファイル１０から音楽再生を行い、音楽再生に同期した歌詞表示を行わず、ステップＳ７０に戻る（リターン）。
【０１１４】
次に、実施形態１に係る同期歌詞配信システム１００の利用方法について、図８〜図２０を用いて説明する。
【０１１５】
図８、図９及び図２０は、実施形態１に係る同期歌詞配信システム１００の利用方法を説明するために示すフローチャートである。図９はクライアントが歌詞配信会員になった場合における利用方法を説明するために示すフローチャートであり、図２０はクライアントが歌詞配信会員になっていない場合における利用方法を説明するために示すフローチャートである。図１０〜図１７及び図１９は、同期歌詞付き音楽ファイル管理端末３００における表示画面の一例を示す図である。図１８は、携帯型音楽・同期歌詞再生端末４００における表示画面の一例を示す図である。
【０１１６】
実施形態１に係る同期歌詞配信システム１００を利用しようとするクライアントは、図８に示すように、まず、プロバイダのホームページに接続する。すると、クライアントのコンピュータの表示画面には、プロバイダのトップページが表示される（例えば、図１０参照。）。
【０１１７】
プロバイダのトップページには、マネージャプログラム（同期歌詞付き音楽ファイル管理端末用プログラム）をダウンロードするための「マネージャプログラムダウンロード」ボタンと、会員登録をするための「会員登録」ボタンと、その他の各種のボタン（例えば、「今月のヒット」ボタン、「今月の新譜情報」ボタンなど。ともに図示せず。）が用意されている。従って、クライアントは、マネージャプログラムをダウンロードすることもできるし（図８の符号Ａ参照。）、会員登録をすることもできるし（図８の符号Ｂ参照。）、その他の各種サービスを受けること（例えば、今月のヒット情報を見たり、今月の新譜情報を見たりすること。）もできる（図８の符号Ｃ参照。）。
【０１１８】
クライアントが「マネージャプログラムダウンロード」ボタンをクリックすると、クライアントのコンピュータにマネージャプログラム（ＭＰ）５０（図１参照。）がダウンロードされる。その後、クライアントがマネージャプログラム５０を自己のコンピュータにインストールすることにより、クライアントのコンピュータが実施形態１に係る歌詞配信システム１００における同期歌詞付き音楽ファイル管理端末３００となる。
【０１１９】
一方、クライアントが「会員登録」ボタンをクリックすると、会員登録のための設定画面が表示され、この設定画面に従って、住所、氏名、ＩＤ、パスワード、料金支払の方法などの情報を順次入力することにより、クライアントは、同期歌詞配信会員として会員登録され、以降、同期歌詞配信会員としての各種サービスの提供を受けることができる。
【０１２０】
次に、マネージャプログラムのインストールを行ったクライアントがマネージャプログラム５０を起動した場合を説明する。クライアントがマネージャプログラム５０を起動すると、自己のコンピュータの表示画面には、図１１に示すようなマネージャ画面が表示され、クライアントは、以降このマネージャ画面を利用して、実施形態１に係る歌詞配信システム１００における各種サービスの提供（以下の（Ａ）〜（Ｃ）参照。）を受けることが可能となる。なお、実施形態１に係る歌詞配信システム１００においては、マネージャ画面における太い黒線で囲まれた四角い領域には、プロバイダのホームページがそのまま表示されるように設定されている。
【０１２１】
また、自己のコンピュータの表示画面には、既に所有する同期歌詞ファイルや音楽ファイル等をファイル形式で参照するためのエクスプローラ、又は既に所有する音楽ファイル等の中から選択したファイルを見やすいようにジャンル毎やアーティスト毎に整理して参照するためのライブラリが表示される。更に、自己のコンピュータの表示画面には、プレイリストが表示される。プレイリストには、一度再生した音楽ファイルの曲名と、この音楽ファイルに対応した同期歌詞ファイルが存在する場合に付される歌詞マークとが表示される。
【０１２２】
（Ａ）同期歌詞ファイル２０の受信（図９の符号Ａ参照。）
クライアントが、希望する同期歌詞ファイル２０の配信を受けて音楽再生に同期した同期歌詞の表示を行う場合には、図１２に示すように、例えば既に所有する音楽ファイルを選択することで、該音楽ファイルの曲名、アルバム名、アーティスト名、再生時間を検索キーとして、同期歌詞ファイル配信装置２００に対して検索を行い、再生と同時に同期歌詞ファイルを取得できるようになっている。図１２では、音楽ファイル「朝焼け」を選択して再生指示を行ったものとする。
【０１２３】
そして、音楽再生に同期して歌詞表示画面に歌詞データを表示させたり、例えば図１３に示すようにポップアップ画面に現時点の同期歌詞を強調表示させながら音楽再生に同期した歌詞データを表示させたりする。図１３では、音楽ファイル「朝焼け」に対応した同期歌詞データが、歌詞表示画面とポップアップ画面とに表示されている。ここでは、同期歌詞のうち「味気ない牛丼３８０円なり」の部分が強調表示されている。
【０１２４】
なお、自己のコンピュータでは、一度取得した同期歌詞ファイルは、対応する音楽ファイルに関連づけて登録できるようになっている（自動登録モード）。自動登録モードでは、例えば図１４に示すように、音楽ファイルを指定して自動登録を実行することで、上記のように、音楽ファイルの曲名、アルバム名、アーティスト名、再生時間を検索キー（図１４では、音楽ファイルの曲名「秋」、アーティスト名「くじら」、アルバム名「くじらイズム」、再生時間「０４：５１」）として、同期歌詞ファイル配信装置２００に対して検索を行い、検索した同期歌詞ファイルを当該音楽ファイルに関連づけて登録できる（図１５）。これ以降、当該音楽ファイルの再生に同期した同期歌詞データの表示が可能となる。
【０１２５】
また、例えば音楽ファイルの曲名に「カラオケ用」や「Instrumental」が設定されているために、同期歌詞ファイル配信装置２００の同期歌詞ファイルＤＢ２１０に検索しても該当ファイルがないと判断されて検索に失敗することがある（図１６）。この場合、自己のコンピュータから同期歌詞ファイルＤＢ２１０に対し、指定した音楽ファイルに対応する同期歌詞ファイルを手動で検索できるようになっている（手動検索モード）。手動検索モードでは、音楽ファイルを指定すると共に、新たに音楽ファイルの曲名、アルバム名、アーティスト名、再生時間のいずれかを指定して手動検索モードを実行することで、同期歌詞ファイル配信装置２００に対して検索を行うことできる（図１７）。手動検索の結果、該当する同期歌詞ファイルを選択することで、検索した同期歌詞ファイルを当該音楽ファイルに関連づけて登録できる。これ以降、当該音楽ファイルの再生に同期した同期歌詞データの表示が可能となる。
【０１２６】
（Ｂ）歌詞付き音楽ファイル３０の転送（図９の符号Ｂ参照。）
クライアントが、音楽ファイル１０、同期歌詞ファイル２０を携帯型音楽・同期歌詞再生端末４００に送信（転送）する場合には、まず、同期歌詞付き音楽ファイル管理端末３００に携帯型音楽・同期歌詞再生端末４００を接続する。そして、自己が所有する（すなわち、同期歌詞付き音楽ファイル管理端末３００が記憶している。）音楽ファイル１０及び自己が組み合わせて所有する同期歌詞ファイル２０及び音楽ファイル１０の曲のリストの中から、携帯型音楽・同期歌詞再生端末４００への転送を希望する音楽ファイル等を指定し、「携帯送信」ボタンをクリックする（図１１参照）。すると、同期歌詞付き音楽ファイル管理端末３００から携帯型音楽・同期歌詞再生端末４００に対して、該当する音楽ファイル１０と同期歌詞ファイル２０の送信（転送）が行われる。
【０１２７】
これにより、携帯型音楽・同期歌詞再生端末４００に同期歌詞付き音楽ファイルが送信（転送）され、これ以降、クライアントは、図１８に示すように、携帯型音楽・同期歌詞再生端末４００を用いて、同期歌詞ファイル２０に含まれる暗号化同期歌詞データ２２から音楽再生に同期して歌詞を表示することが可能となる。
【０１２８】
（Ｃ）同期歌詞付き音楽ファイル管理端末３００を利用した音楽・同期歌詞再生（図９の符号Ｃ参照。）
クライアントは同期歌詞付き音楽ファイル管理端末３００を用いて同期歌詞ファイル２０に含まれる暗号化同期歌詞データ２２から音楽再生に同期して歌詞を表示（音楽・同期歌詞再生）することもできる。この場合には、図１９に示すように、音楽・同期歌詞再生させたい曲を指定した後、マネージャ画面上における「再生」ボタンをクリックする。すると、同期歌詞付き音楽ファイル管理端末３００における音楽再生部から音楽が再生され、これに同期して同期歌詞表示部により歌詞が表示される（図１９における歌詞表示画面参照。）。
【０１２９】
なお、実施形態１に係る同期歌詞配信システム１００においては、歌詞表示画面には「非同期歌詞（全文）表示」ボタンが用意されており、この「非同期歌詞（全文）表示」ボタンをクリックすることにより、これに応じてプロバイダから非同期歌詞ファイル（全文）が配信され、マネージャ画面に表示される。その結果、クライアントは、マネージャ画面上で非同期歌詞ファイル（全文）を見ることもできる。
【０１３０】
なお、クライアントが同期歌詞配信会員になっていない場合にも、マネージャプログラムを起動すると、クライアントが同期歌詞配信会員になっている場合と同じ画面が表示される。但し、この場合、マネージャプログラム５０の機能は制限されており、同期歌詞付き音楽ファイル管理端末３００から携帯型音楽・同期歌詞再生端末４００には音楽ファイル１０及び同期歌詞ファイル２０の送信はできず、同期歌詞付き音楽ファイル管理端末３００においては、歌詞の一部（例えば、曲の頭から４５秒間の歌詞。）についてしか音楽・同期歌詞再生することはできない。また、携帯型音楽・同期歌詞再生端末４００においても、音楽・同期歌詞再生することはできない。しかしながら、クライアントは、図２０に示すように、希望する同期歌詞ファイル２０の配信を受けることはできるし（図２０の符号Ａ参照。）、同期歌詞付き音楽ファイル管理端末３００を用いて同期歌詞付き音楽ファイル３０に含まれる暗号化同期歌詞データ２２から歌詞の一部について音楽再生に同期して歌詞を表示する（図２０の符号Ｂ参照。）ことができる。
【０１３１】
以上のように構成された実施形態１に係る同期歌詞配信システム１００によれば、従来の同期歌詞配信システム９００の場合とは異なり、同期歌詞付き音楽ファイルではなく同期歌詞ファイル２０がクライアント（より具体的にはクライアントの同期歌詞付き音楽ファイル管理端末３００）に対して配信されることとなるため、当該クライアントには重複して音楽データが配信されることがなくなる。その結果、実施形態１に係る同期歌詞配信システム１００によれば、クライアントが既に音楽ファイル１０を所有している場合に音楽データの取得費用が重複して発生してしまうという事態が発生することがなくなる。
【０１３２】
また、実施形態１に係る同期歌詞配信システム１００によれば、従来の同期歌詞配信システム９００の場合と同様に、クライアントにとってもプロバイダにとっても以下のように大きな利益が得られる。すなわち、クライアントにとっては、実施形態１に係る同期歌詞配信システム１００に参加することで、プロバイダから受信した同期歌詞ファイル２０から暗号化同期歌詞データ２２を抽出することにより、自己が所有する音楽ファイル１０に対応した同期歌詞データを用意できるようになる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データ２２を含む同期歌詞ファイル２０をクライアントに対して配信するとともに、クライアントが現時点で有効な同期歌詞配信会員である場合にのみ、有効期間が定められたライセンスキー４２を作成するための認証情報４０を当該クライアントに対して送信することで、爾後の適切な著作権管理が可能となり、所定条件下での確実な課金が可能となるという利益が得られる。
【０１３３】
また、実施形態１に係る同期歌詞配信システム１００によれば、同期歌詞付き音楽ファイル管理端末３００の同期歌詞ファイル記憶部３３０及び携帯型音楽・同期歌詞再生端末４００の同期歌詞ファイル記憶部４４０は、認証情報４０により有効な同期歌詞配信会員であることが確認されなかった場合であっても、同期歌詞ファイル２０を記憶し続ける機能をさらに有する。これにより、認証情報４０に基づいて作成されたライセンスキー４２の有効期間が経過した後であっても、同期歌詞付き音楽ファイル管理端末３００は、同期歌詞ファイル２０を記憶し続けることが可能となり、携帯型音楽・同期歌詞再生端末４００は、同期歌詞ファイル２０を記憶し続けることが可能となるため、例えばクライアントが同期歌詞配信システム１００への参加を取り止めた後、再参加するなどして認証情報４０を再度取得したような場合であっても、参加を取り止める前に作成しておいた同期歌詞ファイル２０に含まれる暗号化同期歌詞データ２２から音楽再生に同期して歌詞を表示することが可能となる。
【０１３４】
また、実施形態１に係る同期歌詞配信システム１００によれば、携帯型音楽・同期歌詞再生端末４００の音楽再生部４６０は、認証情報４０により有効な同期歌詞配信会員であることが確認されなかった場合であっても、音楽ファイル１０に含まれる音楽データ１２から音楽を再生する機能をさらに有する。これにより、認証情報４０に基づいて作成されたライセンスキー４２の有効期間が経過した後であっても、歌詞が表示されないだけで音楽を再生することが可能となるため、例えばクライアントが同期歌詞配信システム１００への参加を取り止めてライセンスキー４２を失ったとしても、既に購入等により取得した音楽ファイル１０が無駄になってしまうということがなくなる。
【０１３５】
また、実施形態１に係る同期歌詞配信システム１００によれば、同期歌詞付き音楽ファイル管理端末３００は、音楽再生部３６０と、同期歌詞表示部３７０とをさらに有するため、同期歌詞付き音楽ファイル管理端末３００を用いることによっても、同期歌詞ファイル２０に含まれる暗号化同期歌詞データ２２から音楽再生に同期して歌詞を表示することが可能となり、クライアントにとっての利便性が高まる。
【０１３６】
また、実施形態１に係る同期歌詞配信システム１００によれば、同期歌詞付き音楽ファイル管理端末３００の同期歌詞表示部３７０は、認証情報４０に基づいて作成されたライセンスキー４２が有効期間内のものでない場合又はライセンスキー４２そのものを所有していない場合であっても、同期歌詞ファイル２０に含まれる暗号化同期歌詞データ２２から歌詞の一部（例えば、曲の頭から４５秒間の歌詞。）を表示することができるように構成されているため、認証情報４０に基づいて作成されたライセンスキー４２そのものを所有していないクライアントに対しては、同期歌詞配信システム１００の機能の一部を体験させることで、同期歌詞配信システム１００の素晴らしさ、楽しさなどを知らしめることができ、同期歌詞配信システム１００への参加を促すことが可能となる。また、認証情報４０に基づいて作成されたライセンスキー４２の有効期間が経過したクライアントに対しては、同期歌詞配信システム１００の機能の一部を再体験させることで、同期歌詞配信システム１００の素晴らしさ、楽しさなどを再認識させることができ、同期歌詞配信システム１００への再参加を促すことが可能となる。
【０１３７】
また、実施形態１に係る同期歌詞配信システム１００によれば、ウェブサービスサーバ２４０は、クライアントから同期歌詞ファイル２０の配信を希望する旨の要求があったとき、当該クライアントが現時点で有効な同期歌詞配信会員である場合にのみ、当該クライアントに対して同期歌詞ファイル２０を送信することで、適切な著作権管理を行うことが可能となる。
【０１３８】
〔変形例１〕
変形例１は、同期歌詞ファイル配信装置２００が図１の構成に限定されるものではないことを説明するための変形例である。
【０１３９】
図２１は、実施形態１の変形例１に係る同期歌詞配信システム１００を説明するために示す図である。図２１において、図１と同様の部分には同一符号を付し、適宜説明を省略する。
【０１４０】
実施形態１の変形例１に係る同期歌詞配信システム１００は、図１の同期歌詞配信システム１００の同期歌詞ファイル配信装置２００に代えて、同期歌詞ファイル配信装置２００ａを有する。
【０１４１】
同期歌詞ファイル配信装置２００ａは、同期歌詞ファイル配信装置２００の構成に加えて、非同期歌詞ファイルＤＢ２２０を含み、ウェブサービスサーバ２４０が非同期歌詞ファイルＤＢ２２０を検索して、非同期歌詞ファイルをクライアント側に配信できるようになっている。なお、ウェブサービスサーバ２４０は、有効な同期歌詞配信会員であることが確認されたクライアントに対してのみ非同期歌詞ファイルを配信するようにしてもよいし、有効な同期歌詞配信会員であることが確認されたか否かにかかわらず、配信を希望するクライアントに対して非同期歌詞ファイルを配信するようにしてもよい。
【０１４２】
〔変形例２〕
変形例２もまた、同期歌詞ファイル配信装置２００が図１の構成に限定されるものではないことを説明するための変形例である。
【０１４３】
図２２は、実施形態１の変形例２に係る同期歌詞配信システム１００を説明するために示す図である。図２２において、図１と同様の部分には同一符号を付し、適宜説明を省略する。
【０１４４】
実施形態１の変形例２に係る同期歌詞配信システム１００は、図１の同期歌詞配信システム１００の同期歌詞ファイル配信装置２００に代えて、同期歌詞ファイル配信装置２００ｂを有する。
【０１４５】
同期歌詞ファイル配信装置２００ｂは、同期歌詞ファイル配信装置２００の構成に加えて、同期歌詞配信会員ＤＢ２３０を含む。ウェブサービスサーバ２４０は、クライアントから同期歌詞ファイルの配信要求があったときや同期歌詞ファイルを用いた表示許可要求があったとき、同期歌詞配信会員ＤＢ２３０を参照して、当該クライアントが有効な同期歌詞配信会員であるか否かを確認し、その確認結果を認証情報４０として同期歌詞付き音楽ファイル管理端末３００に対して送信する。
【０１４６】
〔変形例３〕
変形例３もまた、同期歌詞ファイル配信装置２００が図１の構成に限定されるものではないことを説明するための変形例である。
【０１４７】
図２３は、実施形態１の変形例３に係る同期歌詞配信システム１００を説明するために示す図である。図２３において、図１と同様の部分には同一符号を付し、適宜説明を省略する。
【０１４８】
実施形態１の変形例３に係る同期歌詞配信システム１００は、図１の同期歌詞配信システム１００の同期歌詞ファイル配信装置２００に代えて、同期歌詞ファイル配信装置２００ｃを有する。
【０１４９】
同期歌詞ファイル配信装置２００ｃは、同期歌詞ファイル配信装置２００の構成に加えて、非同期歌詞ファイルＤＢ２２０と同期歌詞配信会員ＤＢ２３０とを含む。
【０１５０】
ウェブサービスサーバ２４０は、非同期歌詞ファイルＤＢ２２０を検索して、非同期歌詞ファイルをクライアント側に配信できるようになっている。なお、ウェブサービスサーバ２４０は、有効な同期歌詞配信会員であることが確認されたクライアントに対してのみ非同期歌詞ファイルを配信するようにしてもよいし、有効な同期歌詞配信会員であることが確認されたか否かにかかわらず、配信を希望するクライアントに対して非同期歌詞ファイルを配信するようにしてもよい。
【０１５１】
また、ウェブサービスサーバ２４０は、クライアントから同期歌詞ファイルの配信要求があったときや同期歌詞ファイルを用いた表示許可要求があったとき、同期歌詞配信会員ＤＢ２３０を参照して、当該クライアントが有効な同期歌詞配信会員であるか否かを確認し、その確認結果を認証情報４０として同期歌詞付き音楽ファイル管理端末３００に対して送信する。
【０１５２】
〔変形例４〕
変形例４は、クライアントが複数の携帯型音楽・同期歌詞再生端末を使用することができることを説明するための変形例である。
【０１５３】
図２４は、実施形態１の変形例４に係る同期歌詞配信システム１００ａを説明するために示す図である。
【０１５４】
実施形態１の変形例４に係る同期歌詞配信システム１００ａは、基本的には実施形態１に係る同期歌詞配信システム１００と良く似た構成を有するが、複数の携帯型音楽・同期歌詞再生端末を備える点で、実施形態１に係る同期歌詞配信システム１００とは異なる。また、変形例４に係る同期歌詞配信システム１００ａにおいては、複数の携帯型音楽・同期歌詞再生端末を備えることに伴い、同期歌詞付き音楽ファイル管理端末が、送信先の携帯型音楽・同期歌詞再生端末に対応した音楽ファイルに関連づけて同期歌詞ファイル及びライセンスキーを送信するようになっている点が異なる。
【０１５５】
すなわち、変形例１に係る同期歌詞配信システム１００ａにおいては、図２４に示すように、携帯型音楽・同期歌詞再生端末として、３種類の携帯型音楽・同期歌詞再生端末４００ａ，４００ｂ，４００ｃを備えている。
【０１５６】
また、変形例１に係る同期歌詞配信システム１００ａにおいては、同期歌詞付き音楽ファイル管理端末３００ａは、実施形態１で説明した機能に加えて、３種類の携帯型音楽・同期歌詞再生端末４００ａ，４００ｂ，４００ｃのそれぞれに対応するように音楽ファイルと、同期歌詞ファイル及びライセンスキーとを関連づける機能をさらに有する。
【０１５７】
このため、変形例１に係る同期歌詞配信システム１００ａにおいては、携帯型音楽・同期歌詞再生端末４００ａ，４００ｂ，４００ｃは、自己の表示性能に相応しい音楽ファイル１０及び同期歌詞ファイル２０を取得することが可能となる。例えば、携帯型音楽・同期歌詞再生端末が「白黒、１６文字×１行」の表示性能を有する表示装置を備える携帯型音楽・同期歌詞再生端末４００ａである場合には、これに対応した同期歌詞データを含む同期歌詞ファイル２０を取得することが可能となる。また、携帯型音楽・同期歌詞再生端末が「白黒、１６文字×２行」の表示性能を有する表示装置を備える携帯型音楽・同期歌詞再生端末４００ｂである場合には、これに対応した同期歌詞データを含む同期歌詞ファイル２０を取得することが可能となる。また、携帯型音楽・同期歌詞再生端末が「フルカラー、１６文字×２行」の表示性能を有する表示装置を備える携帯型音楽・同期歌詞再生端末４００ｃである場合には、これに対応した同期歌詞データを含む同期歌詞ファイル２０を取得することが可能となる。
【０１５８】
〔実施形態２〜４〕
実施形態２〜４は、自己が所有している音楽ファイル以外の音楽ファイルについて、上記の同期歌詞データを含む音楽ファイルである同期歌詞付き音楽ファイルの配信を希望するクライアントが、本発明の同期歌詞配信システムを利用して同期歌詞付き音楽ファイルの配信を受ける場合を想定した実施形態である。実施形態２は、プロバイダが所有する同期歌詞ファイルと音楽ファイルとから、プロバイダにおいて同期歌詞付き音楽ファイルを作成する場合を説明するための実施形態である。実施形態３は、プロバイダが所有する同期歌詞ファイルとネットワークを介して取得した音楽ファイルとから、プロバイダにおいて同期歌詞付き音楽ファイルを作成する場合を説明するための実施形態である。実施形態４は、プロバイダが同期歌詞付き音楽ファイルを所有する場合を説明するための実施形態である。なお、同期歌詞付き音楽ファイルは、実施形態１の場合と同様に、音楽・同期歌詞再生後もクライアント側に残る。
【０１５９】
図２５は、実施形態２に係る同期歌詞配信システム１０２を説明するために示す図である。図２６は、実施形態２に係る同期歌詞配信システム１０２の同期歌詞付き音楽ファイル作成部の動作を説明するために示す図である。図２７は、実施形態３に係る同期歌詞配信システム１０４を説明するために示す図である。図２８は、実施形態４に係る同期歌詞配信システム１０６を説明するために示す図である。図２５、図２７及び図２８において、図１と同様の部分には同一符号を付し、適宜説明を省略する。
【０１６０】
実施形態２〜４に係る同期歌詞配信システム１０２，１０４，１０６はいずれも、基本的には実施形態１に係る同期歌詞配信システム１００と良く似た構成を有するが、同期歌詞ファイル配信装置の構成が、実施形態１に係る同期歌詞配信システム１００とは異なる。
【０１６１】
すなわち、実施形態２に係る同期歌詞配信システム１０２においては、図２５に示すように、同期歌詞ファイル配信装置２０２は、同期歌詞ファイルＤＢ２１０と、クライアントの同期歌詞付き音楽ファイル管理端末３００との間で各種データの送受信を行うウェブサービスサーバ２４２と、音楽ファイル１０を記憶する音楽ファイルＤＢ２５０と、音楽ファイルＤＢ２５０が記憶する音楽ファイル１０と同期歌詞ファイルＤＢ２１０が記憶する同期歌詞ファイル２０とから暗号化同期歌詞データ２２を含む同期歌詞付き音楽ファイル３０を生成する同期歌詞付き音楽ファイル生成部２６０とを備えている。ウェブサービスサーバ２４２は、実施形態１で説明したウェブサービスサーバ２４０が有する機能に加えて、クライアントから同期歌詞付き音楽ファイル３０の配信を希望する旨の要求があったとき、同期歌詞付き音楽ファイル作成部２６０から同期歌詞付き音楽ファイル３０を取得して当該クライアントの同期歌詞付き音楽ファイル管理端末３００に対して配信する機能をさらに有する。
【０１６２】
なお、図２５では、非同期歌詞ファイルＤＢ２２０及び同期歌詞配信会員ＤＢ２３０が、同期歌詞ファイル配信装置２０２の外部に設けられているが、同期歌詞ファイル配信装置２０２が、非同期歌詞ファイルＤＢ２２０及び同期歌詞配信会員ＤＢ２３０の少なくとも一方を含んでもよい。この場合、ウェブサービスサーバ２４２が、ネットワークを介することなく、非同期歌詞ファイルＤＢ２２０又は同期歌詞配信会員ＤＢ２３０にアクセスすることができる。ウェブサービスサーバ２４２が同期歌詞配信会員ＤＢ２３０をアクセスする場合、同期歌詞ファイル配信装置２０２が同期歌詞付き音楽ファイル管理端末３００に対して認証情報４０を送信できる。
【０１６３】
同期歌詞ファイル配信装置２０２の同期歌詞付き音楽ファイル作成部２６０は、図２６に示すように、例えば音楽ファイル１０としてＷＭＡ形式（Ｖｅｒ．１０）の音楽ファイルを用い、暗号化同期歌詞データ２２を音楽ファイル１０に挿入して同期歌詞付き音楽ファイル３０を作成する。より具体的には、同期歌詞付き音楽ファイル作成部２６０は、音楽ファイル１０のヘッダ領域に暗号化同期歌詞データ２２を書き込む方法を用いている。
【０１６４】
なお、暗号化同期歌詞データ２２を音楽ファイル１０に挿入する方法としては、音楽ファイル１０におけるヘッダ領域などの管理領域に暗号化同期歌詞データを書き込む方法や、電子透かし技術により音楽ファイル１０における音楽データ領域に暗号化同期歌詞データ２２を書き込む方法などを好ましく用いることができる。さらに、音楽ファイル１０としてＷＭＡ形式（Ｖｅｒ．１０）に限定されるものではなく、ＭＰ３、ＡＡＣ（ドルビー  ラボラトリーズ  ライセンシング  コーポレーションの登録商標。）などのフォーマット形式の音楽ファイルであってもよい。
【０１６５】
また、実施形態３に係る同期歌詞配信システム１０４においては、図２７に示すように、同期歌詞ファイル配信装置２０４は、同期歌詞ファイルＤＢ２１０と、クライアントの同期歌詞付き音楽ファイル管理端末３００との間で各種データの送受信を行うウェブサービスサーバ２４４と、ネットワークを介して音楽ファイル１０を取得する音楽ファイル取得サーバ２７０と、音楽ファイル取得サーバ２７０が取得した音楽ファイル１０と同期歌詞ファイルＤＢ２１０が記憶する同期歌詞ファイル２０とから同期歌詞付き音楽ファイル３０を作成する同期歌詞付き音楽ファイル作成部２６２とを備えている。ウェブサービスサーバ２４４は、実施形態１で説明したウェブサービスサーバ２４０が有する機能に加えて、クライアントから同期歌詞付き音楽ファイル３０の配信を希望する旨の要求があったとき、同期歌詞付き音楽ファイル作成部２６２から同期歌詞付き音楽ファイル３０を取得して当該クライアントの同期歌詞付き音楽ファイル管理端末３００に対して配信する機能をさらに有する。
【０１６６】
なお、図２７では、非同期歌詞ファイルＤＢ２２０及び同期歌詞配信会員ＤＢ２３０が、同期歌詞ファイル配信装置２０４の外部に設けられているが、同期歌詞ファイル配信装置２０４が、非同期歌詞ファイルＤＢ２２０及び同期歌詞配信会員ＤＢ２３０の少なくとも一方を含んでもよい。この場合、ウェブサービスサーバ２４４が、ネットワークを介することなく、非同期歌詞ファイルＤＢ２２０又は同期歌詞配信会員ＤＢ２３０にアクセスすることができる。ウェブサービスサーバ２４４が同期歌詞配信会員ＤＢ２３０をアクセスする場合、同期歌詞ファイル配信装置２０４が同期歌詞付き音楽ファイル管理端末３００に対して認証情報４０を送信できる。
【０１６７】
また、実施形態４に係る同期歌詞配信システム１０６においては、図２８に示すように、同期歌詞ファイル配信装置２０６は、同期歌詞ファイルＤＢ２１０と、クライアントの同期歌詞付き音楽ファイル管理端末３００との間で各種データの送受信を行うウェブサービスサーバ２４６と、音楽データ１２及び暗号化同期歌詞データ２２を含む同期歌詞付き音楽ファイル３０を記憶する同期歌詞付き音楽ファイルＤＢ２８０とを備えている。ウェブサービスサーバ２４６は、実施形態１で説明したウェブサービスサーバ２４０が有する機能に加えて、クライアントから同期歌詞付き音楽ファイル３０の配信を希望する旨の要求があったとき、同期歌詞付き音楽ファイルＤＢ２８０から同期歌詞付き音楽ファイル３０を取得して当該クライアントの同期歌詞付き音楽ファイル管理端末３００に対して配信する機能をさらに有する。
【０１６８】
なお、図２８では、非同期歌詞ファイルＤＢ２２０及び同期歌詞配信会員ＤＢ２３０が、同期歌詞ファイル配信装置２０６の外部に設けられているが、同期歌詞ファイル配信装置２０６が、非同期歌詞ファイルＤＢ２２０及び同期歌詞配信会員ＤＢ２３０の少なくとも一方を含んでもよい。この場合、ウェブサービスサーバ２４６が、ネットワークを介することなく、非同期歌詞ファイルＤＢ２２０又は同期歌詞配信会員ＤＢ２３０にアクセスすることができる。ウェブサービスサーバ２４６が同期歌詞配信会員ＤＢ２３０をアクセスする場合、同期歌詞ファイル配信装置２０６が同期歌詞付き音楽ファイル管理端末３００に対して認証情報４０を送信できる。
【０１６９】
このため、実施形態２〜４に係る同期歌詞配信システム１０２，１０４，１０６によれば、実施形態１に係る同期歌詞配信システム１００が有する効果に加えて、以下のような効果を有する。すなわち、自己が所有している音楽ファイル以外の音楽ファイルについて同期歌詞付き音楽ファイルの配信を希望するクライアントにとっては、実施形態２〜４に係る同期歌詞配信システム１０２，１０４，１０６に参加することで、プロバイダから、自己が所有している音楽ファイル以外の音楽ファイルに対応する同期歌詞付き音楽ファイルを入手することが可能となり、そのような場合であっても、歌詞データから同期歌詞データを作成するという煩雑な作業をしなくても、音楽再生に同期して自己の端末上に歌詞を表示することが可能となるという利益が得られる。
【０１７０】
なお、この場合、そもそもクライアントは当該音楽ファイルを所有していないのであるから、音楽データの取得費用が重複して発生してしまうという事態が発生することもない。実施形態２〜４に係る同期歌詞配信システム１０２，１０４，１０６においては、同期歌詞付き音楽ファイル管理端末３００は、自らが同期歌詞付き音楽ファイル３０を作成せずに、同期歌詞ファイル配信装置２０２，２０４，２０６から受信した同期歌詞付き音楽ファイル３０をそのまま管理すればよい。
【０１７１】
〔実施形態５〕
実施形態５は、既に音楽ファイルを所有しているクライアントが、本発明の同期歌詞配信システムを利用して同期歌詞ファイルの配信を受ける場合を想定した実施形態である。また、実施形態５は、受信した同期歌詞ファイルから抽出した暗号化同期歌詞データをバッファメモリに記憶させ、この暗号化同期歌詞データから音楽再生に同期して歌詞表示する場合を説明するための実施形態である。なお、プロバイダから配信された同期歌詞ファイルに含まれていた暗号化同期歌詞データは、実施形態１の場合とは異なり、音楽・同期歌詞再生後にはクライアント側から消滅する。
【０１７２】
図２９は、実施形態５に係る同期歌詞配信システム１０８を説明するために示す図である。図３０は、実施形態５に係る同期歌詞配信システム１０８の利用方法を説明するために示すフローチャートである。
【０１７３】
実施形態５に係る同期歌詞配信システム１０８は、図２９に示すように、同期歌詞ファイル配信装置２０８と、音楽・同期歌詞再生端末５００とを備える。実施形態５に係る同期歌詞配信システム１０８においては、プロバイダが同期歌詞ファイル配信装置２０８を所有しており、クライアントが音楽・同期歌詞再生端末５００を所有している。
【０１７４】
同期歌詞ファイル配信装置２０８は、実施形態１に係る同期歌詞配信システム１００における同期歌詞ファイル配信装置２００と同じものである。このため、同期歌詞ファイル配信装置２０８についての説明は省略する。
【０１７５】
音楽・同期歌詞再生端末５００は、図２９に示すように、同期歌詞ファイル配信装置２０８との間で各種データの送受信を行う送受信部５１０と、受信した同期歌詞ファイル２０に含まれる暗号化同期歌詞データ２２を一時的に記憶するバッファメモリ５４０と、受信した認証情報４０に基づいたライセンスキー４２を作成するライセンスキー作成部５５０と、音楽データ１２を含む音楽ファイル１０を記憶する音楽ファイル記憶部５２０と、音楽ファイル記憶部５２０が記憶している音楽ファイル１０に含まれる音楽データ１２から音楽を再生する音楽再生部５６０と、認証情報４０により当該クライアントが有効な同期歌詞配会員であることが確認された場合にのみライセンスキー４２に基づいて、バッファメモリ５４０に記憶している暗号化同期歌詞データ２２から音楽再生に同期して歌詞を表示する同期歌詞表示部５７０と、音楽再生が終了するときまでにバッファメモリ５４０における暗号化同期歌詞データ２２に係る記憶領域を開放する制御手段とを有する。また、この制御手段は、バッファメモリ５４０に記憶された暗号化同期歌詞データ２２を、ライセンスキー作成部５５０により作成されたライセンスキー４２を用いて復号化して同期歌詞データを生成する機能も有する。実施形態５に係る同期歌詞配信システム１０８においては、ＣＰＵ５３０が制御手段の機能を実現する。
【０１７６】
送受信部５１０は、同期歌詞ファイル２０の配信を希望する旨の要求を同期歌詞ファイル配信装置２０８に対して送信する機能と、同期歌詞ファイルを用いて音楽再生に同期した歌詞表示の許可要求を同期歌詞ファイル配信装置２０８に対して送信する機能と、同期歌詞ファイル配信装置２０８から配信された同期歌詞ファイル２０を受信する機能と、同期歌詞ファイル配信装置２０８から送信された認証情報４０を受信する機能とを有する。
【０１７７】
音楽ファイル１０に含まれる音楽データ１２は、曲の進行に合わせて、音楽ファイル記憶部５２０からＣＰＵ５３０、バッファメモリ５４０、ＣＰＵ５３０を経由して順次音楽再生部５６０に転送される。
【０１７８】
送受信部５１０で受信された同期歌詞ファイル２０に含まれる暗号化同期歌詞データ２２は、ＣＰＵ５３０を経由してバッファメモリ５４０に転送された後、復号化されて復号化同期歌詞データ２４となってバッファメモリ５４０に記憶される。暗号化同期歌詞データ２２に係る記憶領域は、暗号化同期歌詞データ２２の復号化が終了したときに開放される。
【０１７９】
その後、復号化同期歌詞データ２４は、曲の進行に応じて、バッファメモリ５４０からＣＰＵ５３０を経由して同期歌詞表示部５７０に転送される。音楽・同期再生が終了したとき、復号化同期歌詞データ２４に係る記憶領域も開放される。
【０１８０】
同期歌詞表示部５７０は、復号化同期歌詞データ２４から音楽再生に同期して歌詞を表示する。これにより、実施形態５に係る同期歌詞配信システム１０８においても、暗号化同期歌詞データ２２から音楽再生に同期して歌詞を表示することが可能となる。
【０１８１】
音楽・同期歌詞再生端末５００は、同期歌詞ファイル配信装置２０８に対して、自己が所有する音楽ファイル以外の音楽ファイルに対応する同期歌詞ファイルについては、配信を希望する旨の要求をすることができないように構成されている。
【０１８２】
同期歌詞表示部５７０は、認証情報４０により当該クライアントが有効な同期歌詞配信会員であることが確認されなかった場合には、曲の頭から４５秒間の部分のみ歌詞を表示することができるように構成されている。
【０１８３】
実施形態５に係る同期歌詞配信システム１０８においては、音楽ファイル１０として、ＷＭＡ形式（Ｖｅｒ．１０）の音楽ファイルを用いている。
【０１８４】
次に、実施形態５に係る同期歌詞配信システム１０８の利用方法について、図８及び図３０を用いて説明する。
【０１８５】
実施形態５に係る同期歌詞配信システム１００を利用しようとするクライアントは、実施形態１に係る同期歌詞配信システム１００の場合と同様に、図８に示すように、マネージャプログラム５０をダウンロードすることもできるし（図８の符号Ａ参照。）、会員登録をすることもできるし（図８の符号Ｂ参照。）、その他の各種サービスを受けること（例えば、今月のヒット情報を見たり、今月の新譜情報を見たりすること。）もできる（図８の符号Ｃ参照。）。
【０１８６】
マネージャプログラム５０のインストールを行ったクライアントがマネージャプログラム５０を起動すると、実施形態１に係る同期歌詞配信システム１００の場合と同様に、図１１に示すような画面が表示され、その画面を利用して、暗号化同期歌詞データ２２から音楽再生に同期して歌詞を表示（音楽・同期歌詞再生）することができる（図３０参照。）。
【０１８７】
また、実施形態５に係る同期歌詞配信システム１０８においては、実施形態１に係る同期歌詞配信システム１００の場合と同様に、歌詞表示画面には「非同期歌詞（全文）表示」ボタンが用意されており、この「非同期歌詞（全文）表示」ボタンをクリックすることにより、これに応じてプロバイダから非同期歌詞ファイル（全文）が配信され、マネージャ画面に表示される。その結果、クライアントは、マネージャ画面上で非同期歌詞ファイル（全文）を見ることもできる。
【０１８８】
以上のように構成された、実施形態５に係る同期歌詞配信システムによれば、実施形態１に係る同期歌詞配信システム１００の場合と同様に、同期歌詞付き音楽ファイルではなく同期歌詞ファイル２０がクライアントに対して配信されることとなるため、当該クライアントには重複して音楽データが配信されることがなくなる。その結果、実施形態５に係る同期歌詞配信システム２０８によれば、クライアントが既に音楽ファイルを所有している場合に音楽データの取得費用が重複して発生してしまうという事態が発生することがなくなる。
【０１８９】
また、実施形態５に係る同期歌詞配信システム１０８によれば、実施形態１に係る同期歌詞配信システム１００の場合と同様に、クライアントにとってもプロバイダにとっても以下のように大きな利益が得られる。すなわち、クライアントにとっては、実施形態５に係る同期歌詞配信システム１０８に参加することで、プロバイダから受信した同期歌詞ファイル２０に含まれる暗号化同期歌詞データ２２から音楽再生に同期して歌詞を表示することが可能となる。このため、同期情報を歌詞データに付加して同期歌詞データを作成するという煩雑な作業をしなくても、音楽再生に同期して自己の端末上に歌詞を表示することが可能となるという利益が得られる。また、プロバイダにとっては、暗号化同期歌詞データ２２を含む同期歌詞ファイル２０をクライアントに対して配信するとともに、クライアントが現時点で有効な同期歌詞配信会員である場合にのみ、有効期間が定められたライセンスキー４２を作成するための認証情報４０を当該クライアントに対して送信することで、また、クライアントが暗号化同期歌詞データ２２から歌詞を表示させた後はバッファメモリ５４０に記憶している暗号化同期歌詞データ２２に係る記憶領域を開放することで、爾後の適切な著作権管理が可能となり、所定条件下での確実な課金が可能となるという利益が得られる。
【０１９０】
実施形態５に係る同期歌詞配信システム１０８においては、同期歌詞表示部５７０は、認証情報４０により有効な同期歌詞配信会員であることが確認されない場合であっても、暗号化同期歌詞データ２２から歌詞の一部（例えば、曲の頭から４５秒間の歌詞。）を表示することができるように構成されているため、ライセンスキーそのものを所有していないクライアントに対しては、同期歌詞配信システム１０８の機能の一部を体験させることで、同期歌詞配信システム１０８の素晴らしさ、楽しさなどを知らしめることができ、同期歌詞配信システム１０８への参加を促すことが可能となる。また、ライセンスキーの有効期間が経過したクライアントに対しては、同期歌詞配信システム１０８の機能の一部を再体験させることで、同期歌詞配信システム１０８の素晴らしさ、楽しさなどを再認識させることができ、同期歌詞配信システム１０８への再参加を促すことが可能となる。
【０１９１】
実施形態５に係る同期歌詞配信システム１０８においては、ウェブサービスサーバ２４０は、クライアントから同期歌詞ファイル２０の配信を希望する旨の要求があったとき、当該クライアントが現時点で有効な同期歌詞配信会員であるか否かを同期歌詞配信会員ＤＢ２３０が記憶する情報と照合して、当該クライアントが現時点で有効な同期歌詞配信会員であると確認された場合に、同期歌詞ファイル２０を当該クライアントの音楽・同期歌詞再生端末５００に対して配信するため、クライアントが現時点で有効な同期歌詞配信会員である場合にのみ、当該クライアントに対して同期歌詞ファイル２０を配信することで、適切な著作権管理を行うことが可能となる。
【０１９２】
以上、本発明の同期歌詞配信システム、同期歌詞ファイル配信装置、同期歌詞付き音楽ファイル管理端末、携帯型音楽・同期歌詞再生端末、同期歌詞付き音楽ファイル管理端末用プログラム、音楽・同期歌詞再生端末及び音楽・同期歌詞再生端末用プログラムを、上記の各実施形態に基づいて説明したが、本発明は、これに限定されるものではなく、その要旨を逸脱しない範囲において実施することが可能であり、例えば、次のような変形も可能である。
【０１９３】
（１）実施形態１又は実施形態５においては、実施形態１に係る同期歌詞配信システム１００と、実施形態５に係る同期歌詞配信システム１０８とを別個の同期歌詞配信システム１００，１０８として説明したが、本発明はこれに限定されるものでない。本発明は、実施形態１に係る同期歌詞配信システム１００と、実施形態５に係る同期歌詞配信システム１０８の両方の構成・機能を備える同期歌詞配信システムを含むものである。
【０１９４】
（２）上記した各実施形態においては、予め暗号化同期歌詞データ２２を復号化して復号化同期歌詞データ２４を作成しておくとともに、同期歌詞表示部３７０，４５０，５７０は、認証情報４０により有効な同期歌詞配信会員であることが確認されない場合には、復号化同期歌詞データ２４から歌詞を表示することができないように構成されているが、本発明はこれに限定されるものでない。同期歌詞表示部３７０，４５０，５７０は、認証情報４０により有効な同期歌詞配信会員であることが確認されない場合には、暗号化同期歌詞データを復号化することができないように構成されていてもよい。
【０１９５】
（３）上記した各実施形態においては、予め１曲分の暗号化同期歌詞データ２２を復号化しておき、認証情報４０により有効な同期歌詞配信会員であることが確認されない場合には、同期歌詞表示部３７０，４５０，５７０は、曲の頭から４５秒間の部分のみ歌詞を表示することができるように構成されていてもよい。また同期歌詞表示部３７０，４５０，５７０は、暗号化同期歌詞データ２２のうち曲の頭から４５秒間の部分の暗号化同期歌詞データ２２のみを復号化することができるように構成されていてもよい。
【０１９６】
（４）実施形態５においては、暗号化同期歌詞データを復号化して復号化同期歌詞データを作成するときに、暗号化同期歌詞データに係る記憶領域を開放することとしているが、本発明はこれに限定されるものでない。音楽・同期歌詞再生が終了するときに暗号化同期歌詞データに係る記憶領域を開放することとしてもよい。
【０１９７】
（５）実施形態１又は実施形態５においては、音楽ファイル１０として、ＷＭＡフォーマット形式の音楽ファイルを用いたが、本発明はこれに限定されるものではない。例えば、ＭＰ３、ＡＡＣなどのフォーマット形式の音楽ファイルを用いることもできる。
【０１９８】
（６）上記の実施形態において、同期歌詞ファイル配信装置と同期歌詞付き音楽ファイル管理端末との間や、同期歌詞付き音楽ファイル管理端末と携帯型音楽・同期歌詞再生端末との間では、音楽ファイルと同期歌詞ファイルとを別個に転送するものとして説明したが、音楽ファイルに同期歌詞ファイルを挿入することで作成された同期歌詞付き音楽ファイルを転送するようにしてもよい。同期歌詞付き音楽ファイルは、音楽ファイル１０のヘッダ領域に暗号化同期歌詞データ２２を書き込んだり、電子透かし技術を用いて、音楽ファイル１０の音楽データ領域に暗号化同期歌詞データ２２を書き込むことで生成される。
【０１９９】
（７）実施形態１又は実施形態５においては、同期歌詞付き音楽ファイル管理端末３００又は音楽・同期歌詞再生端末５００は、同期歌詞ファイル配信装置２００に対しては、自己が所有する音楽ファイル以外の音楽ファイルに対応する同期歌詞ファイルについては配信を希望する旨の要求をすることができないように構成されているが、本発明はこれに限定されるものではない。同期歌詞ファイル配信装置２００に対しては、自己が所有する音楽ファイル以外の音楽ファイルに対応する同期歌詞ファイルについても配信を希望する旨の要求をすることができるように構成されていてもよい。
【図面の簡単な説明】
【０２００】
【図１】実施形態１に係る同期歌詞配信システム１００を説明するために示す図である。
【図２】実施形態１に係る同期歌詞配信システム１００における同期歌詞付き音楽ファイル管理端末３００の機能ブロック図である。
【図３】実施形態１に係る同期歌詞配信システム１００における携帯型音楽・同期歌詞再生端末４００の機能ブロック図である。
【図４】実施形態１に係る同期歌詞配信システム１００における同期歌詞ファイル配信装置用プログラムの処理例のフローチャートである。
【図５】実施形態１に係る同期歌詞配信システム１００における同期歌詞付き音楽ファイル管理端末３００の受信処理例のフローチャートである。
【図６】実施形態１に係る同期歌詞配信システム１００における同期歌詞付き音楽ファイル管理端末３００の再生処理例及び転送処理例のフローチャートである。
【図７】実施形態１に係る同期歌詞配信システム１００における携帯型音楽・同期歌詞再生端末４００の処理例のフローチャートである。
【図８】実施形態１に係る同期歌詞配信システム１００の利用方法を説明するために示すフローチャートである。
【図９】実施形態１に係る同期歌詞配信システム１００の利用方法を説明するために示すフローチャートである。
【図１０】同期歌詞付き音楽ファイル管理端末３００における表示画面の一例を示す図である。
【図１１】同期歌詞付き音楽ファイル管理端末３００における表示画面の一例を示す図である。
【図１２】同期歌詞付き音楽ファイル管理端末３００における表示画面の一例を示す図である。
【図１３】同期歌詞付き音楽ファイル管理端末３００における表示画面の一例を示す図である。
【図１４】同期歌詞付き音楽ファイル管理端末３００における表示画面の一例を示す図である。
【図１５】同期歌詞付き音楽ファイル管理端末３００における表示画面の一例を示す図である。
【図１６】同期歌詞付き音楽ファイル管理端末３００における表示画面の一例を示す図である。
【図１７】同期歌詞付き音楽ファイル管理端末３００における表示画面の一例を示す図である。
【図１８】携帯型音楽・同期歌詞再生端末４００における表示画面の一例を示す図である。
【図１９】同期歌詞付き音楽ファイル管理端末３００における表示画面の一例を示す図である。
【図２０】実施形態１に係る同期歌詞配信システム１００の利用方法を説明するために示すフローチャートである。
【図２１】実施形態１の変形例１に係る同期歌詞配信システム１００を説明するために示す図である。
【図２２】実施形態１の変形例２に係る同期歌詞配信システム１００を説明するために示す図である。
【図２３】実施形態１の変形例３に係る同期歌詞配信システム１００を説明するために示す図である。
【図２４】実施形態１の変形例４に係る同期歌詞配信システム１００ａを説明するために示す図である。
【図２５】実施形態２に係る同期歌詞配信システム１０２を説明するために示す図である。
【図２６】実施形態２に係る同期歌詞配信システム１０２の同期歌詞付き音楽ファイル作成部の動作を説明するために示す図である。
【図２７】実施形態３に係る同期歌詞配信システム１０４を説明するために示す図である。
【図２８】実施形態４に係る同期歌詞配信システム１０６を説明するために示す図である。
【図２９】実施形態５に係る同期歌詞配信システム１０８を説明するために示す図である。
【図３０】実施形態５に係る同期歌詞配信システム１０８の利用方法を説明するために示すフローチャートである。
【図３１】従来の同期歌詞配信システム９００を説明するために示す図である。
【符号の説明】
【０２０１】
１０…音楽ファイル、１２…音楽データ、２０…同期歌詞ファイル、２２…暗号化同期歌詞データ、２４…復号化同期歌詞データ、３０…同期歌詞付き音楽ファイル、４０…認証情報、４２…ライセンスキー、５０…マネージャプログラム、１００，１００ａ，１０２，１０４，１０６，１０８，９００…同期歌詞配信システム、２００，２０２，２０４，２０６，２０８…同期歌詞ファイル配信装置、２１０…同期歌詞ファイルＤＢ、２２０…非同期歌詞ファイルＤＢ、２３０…同期歌詞配信会員ＤＢ、２４０，２４２，２４４，２４６…ウェブサービスサーバ、２５０，２５２…音楽ファイルＤＢ、２６０，２６２…同期歌詞付き音楽ファイル作成部、２７０…音楽ファイル取得サーバ、２８０…同期歌詞付き音楽ファイルＤＢ、３００…同期歌詞付き音楽ファイル管理端末、３１０…送受信部、３２０…音楽ファイル記憶部、３３０，４４０…同期歌詞ファイル記憶部、３４０，４５０…復号化部、３５０…ライセンスキー作成部、３６０，４６０…音楽再生部、３７０，４７０…同期歌詞表示部、３８０，４１０…インタフェース部、４００，４００ａ，４００ｂ、４００ｃ…携帯型音楽・同期歌詞再生端末、４２０…音楽ファイル記憶部、４３０…ライセンスキー記憶部、４６０…音楽再生部、４７０…同期歌詞表示部、５００…音楽・同期歌詞再生端末、５１０…送受信部、５２０…音楽ファイル記憶部、５３０…ＣＰＵ、５４０…バッファメモリ、５５０…ライセンスキー記憶部、５６０…音楽再生部、５７０…歌詞表示部、９１０…同期歌詞付き音楽ファイル配信装置、９２０…音楽ファイルＤＢ、９３０…同期歌詞ファイルＤＢ、９４０…同期歌詞付き音楽ファイル作成部、９５０…ＤＲＭ部、９６０…ウェブサービスサーバ、９７０…同期歌詞付き音楽ファイル、９８０…クライアント端末
【図２】
2008112158.tif 000003
【図３】
2008112158.tif 000004
【図４】
2008112158.tif 000005
【図５】
2008112158.tif 000006
【図６】
2008112158.tif 000007
【図７】
2008112158.tif 000008
【図８】
2008112158.tif 000009
【図９】
2008112158.tif 000010
【図１０】
2008112158.tif 000011
【図１１】
2008112158.tif 000012
【図１２】
2008112158.tif 000013
【図１３】
2008112158.tif 000014
【図１８】
2008112158.tif 000015
【図２０】
2008112158.tif 000016
【図２６】
2008112158.tif 000017
【図３０】
2008112158.tif 000018
【図３１】
2008112158.tif 000019
【図１】
2008112158.tif 000020
【図１４】
2008112158.tif 000021
【図１５】
2008112158.tif 000022
【図１６】
2008112158.tif 000023
【図１７】
2008112158.tif 000024
【図１９】
2008112158.tif 000025
【図２１】
2008112158.tif 000026
【図２２】
2008112158.tif 000027
【図２３】
2008112158.tif 000028
【図２４】
2008112158.tif 000029
【図２５】
2008112158.tif 000030
【図２７】
2008112158.tif 000031
【図２８】
2008112158.tif 000032
【図２９】
2008112158.tif 000033